(57)【特許請求の範囲】
【請求項１】
室内機本体（１）の下面中央部に吸込口（２１）を、該吸込口（２１）の周囲に吹出口（２２Ａ），（２２Ｂ）をそれぞれ備えるとともに該吸込口（２１）から吹出口（２２Ａ），（２２Ｂ）に至る空気通路（１０）中にファン（１２）と熱交換器（１５）とを配置してなり、局所的な排気が行われる排気領域（Ｓ１）を有する空調空間（４２）の天井（４０）側に上記吸込口（２１）を下方に向けた状態で配置される空気調和装置の室内機であって、
上記吹出口（２２Ａ），（２２Ｂ）からの吹出空気（Ａ２）を略直下方向に吹き出すように構成されていて、
上記吹出口（２２Ａ），（２２Ｂ）には、略筒状形態をもち上記吹出口（２２Ａ），（２２Ｂ）から吹き出される吹出空気（Ａ2)を略直下方向に案内する吹出ガイド部材（２５）が上記室内機本体（１）の下面から下方へ延出状態で設けられていることを特徴とする空気調和機の室内機。
【請求項２】
請求項１において、
上記室内機本体（１）の側壁（１１ａ），（１１ｂ）に吹出空気（Ａ3）を側方へ向けて吹き出す副吹出口（１７），（１８）が設けられていることを特徴とする空気調和装置の室内機。
【請求項３】
請求項１又は２において、
上記吹出口（２２Ａ），（２２Ｂ）が上記室内機本体（１）の下面から外側に向けて斜め下方へ指向していることを特徴とする空気調和装置の室内機。
【請求項４】
請求項２又は３において、
上記副吹出口（１７），（１８）がダクト（３１）を介して上記室内機本体（１）から側方へ離間した位置において直下方向に向けて開口していることを特徴とする空気調和装置の室内機。
【請求項５】
請求項１，２，３又は４において、
上記吹出口（２２Ａ），（２２Ｂ）が上記室内機本体（１）と別体構成の吹出パネル（２）側に設けられ、該室内機本体（１）に対して着脱自在とされていることを特徴とする空気調和装置の室内機。
【発明の詳細な説明】
【０００１】
【発明の属する技術分野】
【０００２】
本願発明は、排気装置を備えた空調空間に設置される空気調和装置の室内機に関するものである。
【従来の技術】
【０００３】
図３４及び図３５には、従来一般的な天井吊下型の空気調和装置の室内機Ｚ0を示している。この室内機Ｚ0は、下面が開口した矩形箱状形態をもち且つ天井側に吊下支持されるケーシング１１と、略矩形の平板状形態を有しその平面方向中央部に吸込口２１を設けると共に該吸込口２１の外側にこれを囲むようにして吹出口２２，２２，・・をそれぞれ設け、上記ケーシング１１の下面開口に対してこれを閉塞するようにその下方側から装着される吹出パネル２とで構成される室内機本体１を備えるとともに、該室内機本体１内の上記吸込口２１から吹出口２２に至る空気通路１０中に、モータ１３により回転駆動されるファン１２と該ファン１２の周囲を囲繞するように配置される熱交換器１５とを収容して構成され、上記ファン１２の回転により、上記吸込口２１から吸い込まれる室内空気Ａ１を上記熱交換器１５において熱交換し、上記吹出口２２，２２，・・から温度調整された吹出空気Ａ2として室内へ吹き出すようになっている。
【０００４】
この場合、上記各吹出口２２，２２，・・は、吹出方向上流側から下流側に向かうに従って外側に傾斜する傾斜通路とされ且つ該各吹出口２２，２２，・・にはそれぞれフラップ２４が設けられており、該各吹出口２２，２２，・・からの吹出空気は、図３５に矢印Ａ2で示すように、該各吹出口２２，２２，・・から斜め外側に向けて吹き出される。
【０００５】
尚、図３５において、符号１４は上記ファン１２の吸込側に配置されたファンガイド、符号１６はフィルター、符号２３は吸込グリルである。
【発明が解決しようとする課題】
【０００６】
ところで、このような従来の斜め吹出構造の室内機Ｚ0は、これが設置される空調空間の環境条件によっては空調の快適性を十分に確保できない場合がある。
【０００７】
ここで、上記室内機Ｚ0により空調が行われる空調空間４２として、例えば図３６に示すように、焼肉店の店内空間を想定し、この空調空間４２の天井４０側に該室内機Ｚ0を設置する場合を考える。この空調空間４２の床面４１側には調理器４６が備えられたテーブル４５が所定間隔で設置され、且つこれら各テーブル４５，４５，・・の上方位置には、上記調理器４６から発生する油煙５２を室外へ排出させるために排気装置４７が設けられている。この排気装置４７は、例えば、集煙用の排気フード４８を排気導出管４９を介して天井４０の上側に配置された排気ダクト５０に接続して構成され、該排気ダクト５０側に配置された排気ファン（図示省略）の吸引作用によって上記調理器４６からの油煙５２を上記排気フード４８側に集煙し且つこれを上記排気導出管４９を介して上記排気ダクト５０側に導出するようになっている。
【０００８】
このような環境条件をもつ空調空間４２の空調を行うべくその天井４０側に上記室内機Ｚ0を設置する場合、該室内機Ｚ0からの吹出空気Ａ2による在室者のドラフト感を防止するとの観点から、図３６に示すように、上記各テーブル４５，４５，・・の近傍の各排気領域Ｓ1，Ｓ1，・・を避けて、これら各テーブル４５，４５，・・の中間の通路部分に対応する非排気領域Ｓ2の上方位置に上記室内機Ｚ0を設置するのが通例である。
【０００９】
ところが、上述のように、従来の室内機Ｚ0においては吹出空気Ａ2を天井側から斜め下方へ向けて吹き出す斜め吹出構造であって、該吹出空気Ａ2を直下方向あるいは水平方向へ吹き出すことができないため、上記室内機Ｚ0を上記各排気領域Ｓ1，Ｓ1，・・を避けて排気領域Ｓ2の上方位置に設置したにも拘わらず、該室内機Ｚ0からの吹出空気Ａ2の気流の一部は上記各排気領域Ｓ1，Ｓ1，・・に到達することになる。この結果、吹出空気Ａ2の気流がテーブル４５の近傍に居る在室者に直接当たってこれにドラフト感を与える恐れがあるとともに、該気流によって調理器４６からの油煙５２が側方へ吹き飛ばされて上記排気装置４７による排気性能を低下させ、延いては空調空間４２への油煙５２の拡散によって室内環境の悪化を招来する、等の問題があった。
【００１０】
尚、上記各問題のうち、特に室内機Ｚ0からの吹出空気Ａ2による排気性能の低下という問題は、上例の如く上記排気装置４７が開放領域での吸引構造をもつものに限らず、例えば上記排気フード４８側から給気をエアカーテン状に吹き出してこのエアカーテン状の給気によって上記排気領域Ｓ1の周囲を囲繞し、該エアカーテンの内側において油煙５２を吸引排出する遮蔽領域での吸引構造をもつものにおいても、該エアカーテンが吹出空気Ａ2の気流の影響を受けて乱されることで同様の問題が生じるものである。
【００１１】
そこで本願発明は、天井側に設置される空気調和装置の室内機において、ドラフト感の抑制による空調の快適性の確保と排気性能の維持とを両立させることを目的としてなされたものである。
【課題を解決するための手段】
【００１２】
本願発明ではかかる課題を解決するための具体的手段として次のような構成を採用している。
【００１３】
本願の第１の発明では、室内機本体１の下面中央部に吸込口２１を、該吸込口２１の周囲に吹出口２２Ａ，２２Ｂをそれぞれ備えるとともに該吸込口２１から吹出口２２Ａ，２２Ｂに至る空気通路１０中にファン１２と熱交換器１５とを配置してなり、局所的な排気が行われる排気領域Ｓ１を有する空調空間４２の天井４０側に上記吸込口２１を下方に向けた状態で配置される空気調和装置の室内機において、上記吹出口２２Ａ，２２Ｂからの吹出空気Ａ2を略直下方向に吹き出すように構成するとともに、上記吹出口２２Ａ，２２Ｂには、略筒状形態をもち上記吹出口２２Ａ，２２Ｂから吹き出される吹出空気Ａ2を略直下方向に案内する吹出ガイド部材２５を上記室内機本体１の下面から下方へ延出状態で設けたことを特徴としている。
【００１４】
本願の第２の発明では、上記第１の発明にかかる空気調和装置の室内機において、上記室内機本体１の側壁１１ａ，１１ｂに吹出空気Ａ3を側方へ向けて吹き出す副吹出口１７，１８を設けたことを特徴としている。
【００１５】
本願の第３の発明では、上記第１又は第２の発明にかかる空気調和装置の室内機において、上記吹出口２２Ａ，２２Ｂを上記室内機本体１の下面から外側に向けて斜め下方へ指向させたことを特徴としている。
【００１６】
本願の第４の発明では、上記第２又は第３の発明にかかる空気調和装置の室内機において、上記副吹出口１７，１８をダクト３１を介して上記室内機本体１から側方へ離間した位置において直下方向に向けて開口させたことを特徴としている。
【００１７】
本願の第５の発明では、上記第１，第２，第３又は第４の発明にかかる空気調和装置の室内機において、上記吹出口２２Ａ，２２Ｂを上記室内機本体１と別体構成の吹出パネル２側に設け、該室内機本体１に対して着脱自在としたことを特徴としている。
【発明の効果】
【００１８】
本願発明ではかかる構成とすることにより次のような効果が得られる。
【００１９】
（１）  本願の第１の発明にかかる空気調和装置の室内機によれば、室内機本体１の下面中央部に吸込口２１を、該吸込口２１の周囲に吹出口２２Ａ，２２Ｂをそれぞれ備えるとともに該吸込口２１から吹出口２２Ａ，２２Ｂに至る空気通路１０中にファン１２と熱交換器１５とを配置してなり、局所的な排気が行われる排気領域Ｓ1を有する空調空間４２の天井４０側に上記吸込口２１を下方に向けた状態で配置される空気調和装置の室内機において、上記吹出口２２Ａ，２２Ｂからの吹出空気Ａ2を略直下方向に吹き出すように構成しているので、上記空調空間４２における上記室内機の設置位置を、上記排気領域Ｓ1から横方向に外れた位置の上方側に設定することで、上記吹出口２２Ａ，２２Ｂから略直下方向へ吹き出される吹出空気Ａ2の気流が上記排気領域Ｓ1の近傍に到達するのが可及的に抑制される。
【００２０】
この結果、上記排気領域Ｓ1の近傍においては、上記吹出空気Ａ2の気流によるドラフト感の発生が可及的に防止され快適な空調が実現されるとともに、該排気領域Ｓ1に対する上記吹出空気Ａ2の気流の影響が少ないことから良好な排気性能が確保されるものである。
【００２１】
しかも、上記吹出口２２Ａ，２２Ｂを上記室内機本体１の下面から直下方向へ指向させているので、簡単且つ安価な構成によって上述した効果を達成することができるものである。
【００２２】
また、上記吹出口２２Ａ，２２Ｂに、略筒状形態をもち該吹出口２２Ａ，２２Ｂから吹き出される吹出空気Ａ2を略直下方向に案内する吹出ガイド部材２５を上記室内機本体１の下面から下方へ延出状態で設けているので、該吹出ガイド部材２５によって上記吹出口２２Ａ，２２Ｂから吹き出される吹出空気Ａ2の拡散を可及的に防止して該吹出空気Ａ2の気流をより下方まで到達させることができるとともに、上記吸込口２１と吹出口２２Ａ，２２Ｂとが接近した構成であっても上記吹出ガイド部材２５の遮蔽作用によって上記吹出口２２Ａ，２２Ｂからの吹出空気Ａ2の一部がそのまま上記吸込口２１側に吸入される所謂「ショートサーキット現象」の発生が可及的に防止され、これらの相乗効果として、上述した効果がより一層促進されるものである。
【００２３】
（２）  本願の第２の発明にかかる空気調和装置の室内機によれば、上記第１の発明にかかる空気調和装置の室内機において、上記室内機本体１の側壁１１ａ，１１ｂに吹出空気Ａ3を側方へ向けて吹き出す副吹出口１７，１８を設けているので、例えば上記吹出口２２Ａ，２２Ｂのみが設けられている場合に比して、該副吹出口１７，１８に相当する分だけ室内機全体としての吹出面積が増加し、上記吹出口２２Ａ，２２Ｂ側においては、ここから略直下方向へ吹き出される吹出空気Ａ2の風量及び風速が共に低下し該吹出空気Ａ2の気流が排気領域Ｓ1側に与える影響がより一層抑制されるとともに、上記副吹出口１７，１８からの吹出空気Ａ3も空調空間４２の空調に寄与することから、これらの相乗効果として上記（１）に記載の効果がさらに高められることになる。
【００２４】
（３）  本願の第３の発明にかかる空気調和装置の室内機によれば、上記第１又は第２の発明にかかる空気調和装置の室内機において、上記吹出口２２Ａ，２２Ｂを上記室内機本体１の下面から外側に向けて斜め下方へ指向させているので、簡単且つ安価な構成によって上記（１）に記載の効果を奏し得る室内機とすることができ、従来機種の高機能化が容易である。
【００２５】
（４）  本願の第４の発明にかかる空気調和装置の室内機によれば、上記（１）（２）又は（３）に記載の効果に加えて次のような特有の効果が得られる。即ち、この発明では、上記副吹出口１７，１８をダクト３１を介して上記室内機本体１から側方へ離間した位置において直下方向に向けて開口させているので、上記ダクト３１の引き出し方向及び引き出し長さを適宜設定することで上記副吹出口１７，１８からの吹出空気Ａ3を空調空間４２の任意の位置から直下方向へ吹き出させることが可能であることから、上記室内機本体１の設置位置に対応して決定される排気領域Ｓ1のみならず、該排気領域Ｓ1以外の任意の領域を含めた広い領域において吹出気流によるドラフト感の発生を可及的に防止することができ、空調の快適性がさらに向上することになる。
【００２６】
（５）  本願の第５の発明にかかる空気調和装置の室内機によれば、上記（１），（２），（３）又は（４）に記載の効果に加えて次のような特有の効果が得られる。即ち、この発明では、上記吹出口２２Ａ，２２Ｂを上記室内機本体１と別体構成の吹出パネル２側に設け、該室内機本体１に対して着脱自在としているので、例えば斜め吹出構造をもつ従来の室内機においても、その吹出パネルを上記吹出パネル２に取り換えることで容易に直下吹出構造の室内機として機能させることができることから、既設の室内機の機能変更による有効活用が可能となるものである。
【発明の実施の形態】
【００２７】
以下、本願発明を好適な幾つかの実施形態に基づいて具体的に説明する。
【００２８】
尚、以下に述べるように、第１の実施形態〜第１０の実施形態の室内機Ｚ1〜Ｚ10のうち、
第１〜第３の実施形態の室内機Ｚ1〜Ｚ3は、吹出空気Ａ2を直下方向へ向けて吹き出す形態のものであり、これらで第１の形態群を構成し、
第４の実施形態の室内機Ｚ4は、吹出空気Ａ2を斜め下方へ向けて吹き出す形態のものであり、これ単一で第２の形態群を構成し、
第５〜第７の実施形態の室内機Ｚ5〜Ｚ7は、室内機の設置位置とこれから適宜離間した位置の双方からそれぞれ吹出空気Ａ2，Ａ3を直下方向に向けて吹き出す形態で且つ天井に埋込設置されるものであり、これらで第３の形態群を構成し、
第８〜第１０の実施形態の室内機Ｚ8〜Ｚ10は、室内機の設置位置とこれから適宜離間した位置の双方からそれぞれ吹出空気Ａ2，Ａ3を直下方向に向けて吹き出す形態で且つ天井下面側に吊下配置されるものであり、これらで第４の形態群を構成する。
【００２９】
従って、以下においては、説明の便宜上、各形態群毎に、これに属する各室内機の構造をそれぞれ説明し、しかる後、これら各室内機を空調空間に設置した場合における気流特性等を纏めて説明する。
【００３０】
（Ａ）第１の形態群
（Ａ−１）  第１の実施形態
図１及び図２には、本願発明の第１の実施形態にかかる分離型の空気調和装置の室内機Ｚ1を示している。この室内機Ｚ1は、所謂「天井吊下型」の室内機であって、下面が開口した矩形箱状形態をもち且つ天井側に吊下支持されるケーシング１１と、該ケーシング１１の下面開口を閉塞するようにその下方側から装着された吹出パネル２とで構成される室内機本体１を備えるとともに、該室内機本体１の内部にモータ１３により回転駆動されるファン１２と該ファン１２の外周側を囲繞する如く筒状に立設された熱交換器１５とをそれぞれ配置して構成される。
【００３１】
上記吹出パネル２は、略矩形の平板状形態を有し且つ平面方向の中央部に吸込口２１を、該吸込口２１の外側には該吸込口２１を矩形状に囲繞するように四つの吹出口、即ち、該吸込口２１を挟んで対向する一対の主吹出口２２Ａ，２２Ａと該主吹出口２２Ａ，２２Ａの対向方向に略直交する方向において上記吸込口２１を挟んで対向する他の一対の主吹出口２２Ｂ，２２Ｂとをそれぞれ設けて構成されている。
【００３２】
これら各主吹出口２２Ａ，２２Ａ，２２Ｂ，２２Ｂは、特許請求の範囲の「吹出口２２Ａ，２２Ｂ」に該当するものであって、この実施形態においては、共に上記吹出パネル２をその厚さ方向に貫通して直下方向に指向する通路とされている。また、上記各主吹出口２２Ａ，２２Ａ，２２Ｂ，２２Ｂには、それぞれダンパー１９が備えられており、該ダンパー１９の開閉によって該各主吹出口２２Ａ，２２Ａ，２２Ｂ，２２Ｂは必要に応じて個別に開放又は閉塞される（図１１〜図１６を参照）。
【００３３】
尚、上記各主吹出口２２Ａ，２２Ａ，２２Ｂ，２２Ｂは、上記のようにダンパー１９により必要に応じて開放又は閉塞させる構成とする外に、例えば室内機の設置場所、使用形態等の条件に基づいて必要性の有無が予め想定できる場合には、必要性のあるもののみを設け、必要性の無いものは当初から設けない構成とすることも可能である。
【００３４】
一方、上記ケーシング１１の四つの側壁のうち、上記吹出パネル２側の各主吹出口２２Ａ，２２Ａに対応する一対の側壁１１ａ，１１ａには略水平方向に指向する第１副吹出口１７，１７が、また上記吹出パネル２の各主吹出口２２Ｂ，２２Ｂに対応する一対の側壁１１ｂ，１１ｂには略水平方向に指向する第２副吹出口１８，１８が、それぞれ設けられている。これら各副吹出口１７，１７，１８，１８は、特許請求の範囲の「副吹出口」に該当するものであって、それぞれダンパー２０が備えられており、該ダンパー２０の開閉によって上記各副吹出口１７，１７，１８，１８は開放又は閉塞される。
【００３５】
尚、この実施形態においては、上記各副吹出口１７，１７，１８，１８を共に上記ダンパー２０によって閉塞させた状態で使用するようにしている。また、これら各副吹出口１７，１７，１８，１８は、上記のようにダンパー２０により必要に応じて開放又は閉塞させる構成とする外に、例えば室内機の設置場所、使用形態等の条件に基づいて必要性の有無が予め想定できる場合には、必要性のあるもののみを設け、必要性の無いものは当初から設けない構成とすることも可能である。
【００３６】
以上の如く構成された室内機Ｚ1においては、上記ファン１２の回転に伴い、上記吸込口２１から吸入される吸込空気Ａ1は、上記熱交換器１５においてその内部の循環冷媒との間での熱交換によって温度調整され、温風又は冷風の吹出空気Ａ2として上記各主吹出口２２Ａ，２２Ａ，２２Ｂ，２２Ｂから室内側へ吹き出される。この場合、上記各主吹出口２２Ａ，２２Ａ，２２Ｂ，２２Ｂが直下通路とされているため、上記吹出空気Ａ2は、上記室内機本体１の下面側から直下方向に強い指向性をもって吹き出される。
【００３７】
尚、上記各ダンパー１９，１９，・・を開いて上記第１副吹出口１７，１７及び上記第２副吹出口１８，１８を開放させると、図２に破線矢印で示すように、上記熱交換器１５を通った後の空調空気は、その一部が上記各主吹出口２２Ａ，２２Ａ，２２Ｂ，２２Ｂから吹出空気Ａ2として吹き出され、他の一部は上記各副吹出口１７，１７，１８，１８から吹出空気Ａ3として吹き出される。従って、この場合には、上記各副吹出口１７，１７，１８，１８を開放させたことで、上記室内機Ｚ1全体としての吹出面積が、これら各副吹出口１７，１７，１８，１８が閉塞されている場合に比して増加し、その結果、上記各主吹出口２２Ａ，２２Ａ，２２Ｂ，２２Ｂを通して吹き出される吹出空気Ａ2の風量及び風速が共に低下し、その気流の到達距離は減少することになる。
【００３８】
（Ａ−２）  第２の実施形態
図３及び図４には、本願発明の第２の実施形態にかかる分離型の空気調和装置の室内機Ｚ2を示している。この室内機Ｚ2は、所謂「天井吊下型」の室内機であって、下面が開口した矩形箱状形態をもち且つ天井側に吊下支持されるケーシング１１と、該ケーシング１１の下面開口を閉塞するようにその下方側から装着された吹出パネル２とで構成される室内機本体１を備えるとともに、該室内機本体１の内部にモータ１３により回転駆動されるファン１２と該ファン１２の外周側を囲繞する如く筒状に立設された熱交換器１５とをそれぞれ配置して構成される。
【００３９】
上記吹出パネル２は、略矩形の平板状形態を有し且つ平面方向の中央部に吸込口２１を、該吸込口２１の外側には該吸込口２１を矩形状に囲繞するように四つの吹出口、即ち、該吸込口２１を挟んで対向する一対の主吹出口２２Ａ，２２Ａと該主吹出口２２Ａ，２２Ａの対向方向に略直交する方向において上記吸込口２１を挟んで対向する他の一対の主吹出口２２Ｂ，２２Ｂとをそれぞれ設けて構成されている。
【００４０】
これら各主吹出口２２Ａ，２２Ａ，２２Ｂ，２２Ｂは、特許請求の範囲の「吹出口２２Ａ，２２Ｂ」に該当するものであって、この実施形態においては、共に上記吹出パネル２をその厚さ方向に貫通して直下方向に指向する通路とされている。また、これら各主吹出口２２Ａ，２２Ａ，２２Ｂ，２２Ｂの外端（下端）には、長矩形筒状形態をもつ吹出ガイド部材２５が、上記吹出パネル２の下面から下方へ突出状態でそれぞれ連接されており、該各主吹出口２２Ａ，２２Ａ，２２Ｂ，２２Ｂはこれら各吹出ガイド部材２５，２５，・・によって直下方向に指向する通路が延長された状態となっている。さらに、上記各主吹出口２２Ａ，２２Ａ，２２Ｂ，２２Ｂには、それぞれダンパー１９が備えられており、該ダンパー１９の開閉によって該各主吹出口２２Ａ，２２Ａ，２２Ｂ，２２Ｂは必要に応じて個別に開放又は閉塞される（図１１〜図１６を参照）。
【００４１】
尚、上記各主吹出口２２Ａ，２２Ａ，２２Ｂ，２２Ｂは、上記のようにダンパー１９により必要に応じて開放又は閉塞させる構成とする外に、例えば室内機の設置場所、使用形態等の条件に基づいて必要性の有無が予め想定できる場合には、必要性のあるもののみを設け、必要性の無いものは当初から設けない構成とすることも可能である。また、上記吹出ガイド部材２５は、この実施形態のように上記吹出パネル２と一体的に形成する外に、例えば上記吹出パネル２とは別体に形成し、事後的に該吹出パネル２の各主吹出口２２Ａ，２２Ａ，２２Ｂ，２２Ｂ部分に取り付けるようにすることもできる（例えば、図２１を参照）。
【００４２】
一方、上記ケーシング１１の四つの側壁のうち、上記吹出パネル２側の各主吹出口２２Ａ，２２Ａに対応する一対の側壁１１ａ，１１ａには略水平方向に指向する第１副吹出口１７，１７が、また上記吹出パネル２の各主吹出口２２Ｂ，２２Ｂに対応する一対の側壁１１ｂ，１１ｂには略水平方向に指向する第２副吹出口１８，１８が、それぞれ設けられている。これら各副吹出口１７，１７，１８，１８は、特許請求の範囲の「副吹出口」に該当するものであって、それぞれダンパー２０が備えられており、該ダンパー２０の開閉によって上記各副吹出口１７，１７，１８，１８は開放又は閉塞される。尚、この実施形態においては、上記各副吹出口１７，１７，１８，１８を共に上記ダンパー２０によって閉塞させた状態で使用するようにしている。また、これら各副吹出口１７，１７，１８，１８は、上記のようにダンパー２０により必要に応じて開放又は閉塞させる構成とする外に、例えば室内機の設置場所、使用形態等の条件に基づいて必要性の有無が予め想定できる場合には、必要性のあるもののみを設け、必要性の無いものは当初から設けない構成とすることも可能である。
【００４３】
以上の如く構成された室内機Ｚ2においては、上記ファン１２の回転に伴い、上記吸込口２１から吸入される吸込空気Ａ1は、上記熱交換器１５においてその内部の循環冷媒との間での熱交換によって温度調整され、温風又は冷風の吹出空気Ａ2として上記各主吹出口２２Ａ，２２Ａ，２２Ｂ，２２Ｂから室内側へ吹き出される。この場合、上記各主吹出口２２Ａ，２２Ａ，２２Ｂ，２２Ｂが直下通路とされ且つこれら各主吹出口２２Ａ，２２Ａ，２２Ｂ，２２Ｂには上記各吹出ガイド部材２５，２５，・・が設けられているため、上記吹出空気Ａ2は、上記室内機本体１の下面側から直下方向に向けて吹き出されるとともに、該吹出ガイド部材２５によって上記主吹出口２２Ａ，２２Ａ，２２Ｂ，２２Ｂから吹出直後における拡散が防止されることから、該吹出空気Ａ2は下方への強い指向性をもち、その気流の到達距離が長くなり、床面４１側へ十分に到達することになる。また、上記各主吹出口２２Ａ，２２Ａ，２２Ｂ，２２Ｂのそれぞれに上記吹出ガイド部材２５が設けられているので、該吹出ガイド部材２５の遮蔽作用によって上記吸込空気Ａ1と吹出空気Ａ2とが区画される状態となり、従って、上記吸込口２１と上記各主吹出口２２Ａ，２２Ａ，２２Ｂ，２２Ｂとが比較的接近した位置にあったとしても、上記各主吹出口２２Ａ，２２Ａ，２２Ｂ，２２Ｂから吹出ガイド部材２５を通して直下方向へ吹き出される吹出空気Ａ２の一部がそのまま上記吸込口２１側に吸込空気Ａ1として吸い込まれる現象、所謂「ショートサーキット現象」の発生が可及的に防止され、該ショートサーキットに起因する空調能力の低下が防止される。
【００４４】
尚、上記各ダンパー１９，１９，・・を開いて上記第１副吹出口１７，１７及び上記第２副吹出口１８，１８を開放させると、図４に破線矢印で示すように、上記熱交換器１５を通った後の空調空気は、その一部が上記各主吹出口２２Ａ，２２Ａ，２２Ｂ，２２Ｂから吹出空気Ａ2として吹き出され、他の一部は上記各副吹出口１７，１７，１８，１８から吹出空気Ａ3として吹き出される。従って、この場合には、上記各副吹出口１７，１７，１８，１８を開放させたことで、上記室内機全体としての吹出面積が、これら各副吹出口１７，１７，１８，１８が閉塞されている場合に比して増加し、その結果、上記各主吹出口２２Ａ，２２Ａ，２２Ｂ，２２Ｂを通して吹き出される吹出空気Ａ2の風量及び風速が共に低下し、その気流の到達距離は減少することになる。
【００４５】
（Ａ−３）  第３の実施形態
図５には、本願発明の第３の実施形態にかかる分離型の空気調和装置の室内機Ｚ3を示している。この室内機Ｚ3は、所謂「天井吊下型」の室内機であって、下面が開口した矩形箱状形態をもち且つ天井側に吊下支持されるケーシング１１と、該ケーシング１１の下面開口を閉塞するようにその下方側から装着された吹出パネル２とで構成される室内機本体１を備えるとともに、該室内機本体１の内部にモータ１３により回転駆動されるファン１２と該ファン１２の外周側を囲繞する如く筒状に立設された熱交換器１５とをそれぞれ配置して構成される。
【００４６】
上記吹出パネル２は、略矩形の平板状形態を有し且つ平面方向の中央部に吸込口２１を、該吸込口２１の外側には該吸込口２１を矩形状に囲繞するように四つの吹出口、即ち、該吸込口２１を挟んで対向する一対の主吹出口２２Ａ，２２Ａと該主吹出口２２Ａ，２２Ａの対向方向に略直交する方向において上記吸込口２１を挟んで対向する他の一対の主吹出口２２Ｂ，２２Ｂとをそれぞれ設けて構成されている。
【００４７】
これら各主吹出口２２Ａ，２２Ａ，２２Ｂ，２２Ｂは、特許請求の範囲の「吹出口２２Ａ，２２Ｂ」に該当するものであって、この実施形態においては、共に上記吹出パネル２をその厚さ方向に貫通して斜め外側に指向する通路とされている。また、これら各主吹出口２２Ａ，２２Ａ，２２Ｂ，２２Ｂの外端（下端）には、長矩形筒状形態をもつ吹出ガイド部材２５が、上記吹出パネル２の下面から下方へ突出状態でそれぞれ連接されており、該各主吹出口２２Ａ，２２Ａ，２２Ｂ，２２Ｂは、これら各吹出ガイド部材２５，２５，・・によってその通路方向が斜め外側への下降傾斜方向から直下方向へ修正されたような状態となっている。さらに、上記各主吹出口２２Ａ，２２Ａ，２２Ｂ，２２Ｂには、それぞれダンパー１９が備えられており、該ダンパー１９の開閉によって該各主吹出口２２Ａ，２２Ａ，２２Ｂ，２２Ｂは必要に応じて個別に開放又は閉塞される（図１１〜図１６を参照）。
【００４８】
尚、上記各主吹出口２２Ａ，２２Ａ，２２Ｂ，２２Ｂは、上記のようにダンパー１９により必要に応じて開放又は閉塞させる構成とする外に、例えば室内機の設置場所、使用形態等の条件に基づいて必要性の有無が予め想定できる場合には、必要性のあるもののみを設け、必要性の無いものは当初から設けない構成とすることも可能である。また、上記吹出ガイド部材２５は、この実施形態のように上記吹出パネル２と一体的に形成する外に、例えば上記吹出パネル２とは別体に形成し、事後的に該吹出パネル２の各主吹出口２２Ａ，２２Ａ，２２Ｂ，２２Ｂ部分に取り付けるようにすることもできる（例えば、図２１を参照）。
【００４９】
一方、上記ケーシング１１の四つの側壁のうち、上記吹出パネル２側の各主吹出口２２Ａ，２２Ａに対応する一対の側壁１１ａ，１１ａには略水平方向に指向する第１副吹出口１７，１７が、また上記吹出パネル２の各主吹出口２２Ｂ，２２Ｂに対応する一対の側壁１１ｂ，１１ｂには略水平方向に指向する第２副吹出口１８，１８が、それぞれ設けられている。これら各副吹出口１７，１７，１８，１８は、特許請求の範囲の「副吹出口」に該当するものであって、それぞれダンパー２０が備えられており、該ダンパー２０の開閉によって上記各副吹出口１７，１７，１８，１８は開放又は閉塞される。
【００５０】
尚、この実施形態においては、上記各副吹出口１７，１７，１８，１８を共に上記ダンパー２０によって閉塞させた状態で使用するようにしている。また、これら各副吹出口１７，１７，１８，１８は、上記のようにダンパー２０により必要に応じて開放又は閉塞させる構成とする外に、例えば室内機の設置場所、使用形態等の条件に基づいて必要性の有無が予め想定できる場合には、必要性のあるもののみを設け、必要性の無いものは当初から設けない構成とすることも可能である。
【００５１】
以上の如く構成された室内機Ｚ3においては、上記ファン１２の回転に伴い、上記吸込口２１から吸入される吸込空気Ａ1は、上記熱交換器１５においてその内部の循環冷媒との間での熱交換によって温度調整され、温風又は冷風の吹出空気Ａ2として上記各主吹出口２２Ａ，２２Ａ，２２Ｂ，２２Ｂから室内側へ吹き出される。この場合、上記各主吹出口２２Ａ，２２Ａ，２２Ｂ，２２Ｂは斜め外側へ向けて下降傾斜する通路とされているが、これら各主吹出口２２Ａ，２２Ａ，２２Ｂ，２２Ｂの外端にはそれぞれ上記各吹出ガイド部材２５，２５，・・が設けられているため、上記各主吹出口２２Ａ，２２Ａ，２２Ｂ，２２Ｂを通って斜め外側に向けて吹き出される吹出空気Ａ2は、該各主吹出口２２Ａ，２２Ａ，２２Ｂ，２２Ｂから上記各吹出ガイド部材２５，２５，・・に到達した後、該吹出ガイド部材２５，２５，・・に案内されてその吹出方向が斜め外側方向から直下方向に修正され、該各吹出ガイド部材２５，２５，・・の下端から直下方向に向けて吹き出されるとともに、該各吹出ガイド部材２５，２５，・・によって吹出直後における拡散が防止されることになる。この結果、上記吹出空気Ａ2は下方への強い指向性をもち、その気流の到達距離が長くなり、床面４１側へ十分に到達することになる。
【００５２】
また一方、上記各主吹出口２２Ａ，２２Ａ，２２Ｂ，２２Ｂのそれぞれに上記吹出ガイド部材２５が設けられていることで、該吹出ガイド部材２５の遮蔽作用によって上記吸込空気Ａ1と吹出空気Ａ2とが区画される状態となり、この結果、上記吸込口２１と上記各主吹出口２２Ａ，２２Ａ，２２Ｂ，２２Ｂとが比較的接近した位置にあったとしても、上記各主吹出口２２Ａ，２２Ａ，２２Ｂ，２２Ｂから吹出ガイド部材２５を通して直下方向へ吹き出される吹出空気Ａ2の一部がそのまま上記吸込口２１側に吸込空気Ａ1として吸い込まれる現象、所謂「ショートサーキット現象」の発生が可及的に防止されることになる。
【００５３】
尚、上記各ダンパー１９，１９，・・を開いて上記第１副吹出口１７，１７及び上記第２副吹出口１８，１８を開放させると、図５に破線矢印で示すように、上記熱交換器１５を通った後の空調空気は、その一部が上記各主吹出口２２Ａ，２２Ａ，２２Ｂ，２２Ｂから吹出空気Ａ2として吹き出され、他の一部は上記各副吹出口１７，１７，１８，１８から吹出空気Ａ3として吹き出される。従って、この場合には、上記各副吹出口１７，１７，１８，１８を開放させたことで、上記室内機全体としての吹出面積が、これら各副吹出口１７，１７，１８，１８が閉塞されている場合に比して増加し、その結果、上記各主吹出口２２Ａ，２２Ａ，２２Ｂ，２２Ｂを通して吹き出される吹出空気Ａ2の風量及び風速が共に低下し、その気流の到達距離は減少することになる。
【００５４】
（Ａ−４）  第１の形態群における気流特性の説明
ここで、この第１の形態群に属する上記第１〜第３の実施形態にかかる室内機Ｚ1〜Ｚ3の使用状態時における気流特性を、図６及び図７に示すように、該室内機Ｚ1〜Ｚ3を、油煙発生源及び油煙を排出するための排気装置を備えた焼肉店等の店舗に設置した場合を例にとって説明する。
【００５５】
図６及び図７に示すように、床面４１と天井４０とによって上下方向に区画された空調空間４２（即ち、焼肉店の店内空間）の該床面４１側には、コンロ等の調理器４６を備えたテーブル４５が所定間隔をもって多数設置されている。また、これら各テーブル４５，４５，・・の上方位置には、上記調理器４６から発生する油煙５２を室外へ排出させるために排気装置４７が設けられている。尚、この排気装置４７は、例えば、集煙用の排気フード４８を排気導出管４９を介して天井４０の上側に配置された排気ダクト５０に接続して構成され、該排気ダクト５０側に配置された排気ファン（図示省略）の吸引作用によって上記調理器４６からの油煙５２を上記排気フード４８側に集煙し且つこれを上記排気導出管４９を介して上記排気ダクト５０側に導出するようになっている。
【００５６】
そして、このような環境条件をもつ空調空間４２の空調を行うべく上記天井４０側に上記室内機Ｚ1（Ｚ2，Ｚ3）を設置する場合、該室内機Ｚ1（Ｚ2，Ｚ3）からの吹出空気Ａ2による在室者のドラフト感を防止するとの観点から、該室内機Ｚ1（Ｚ2，Ｚ3）を、上記各テーブル４５，４５，・・の近傍の各排気領域Ｓ1，Ｓ1，・・を避けて、これら各テーブル４５，４５，・・の中間の通路部分に対応する非排気領域Ｓ2の上方位置に設置している。
【００５７】
ここで、上記各調理器４６，４６，・・のそれぞれにおいて焼肉調理が行われ、該調理器４６，４，・・から発生する油煙５２を上記各排気装置４７，４７，・・によって排気している状態において、上記室内機Ｚ1（Ｚ2，Ｚ3）が運転される場合における気流特性を、図６に示すように上記室内機Ｚ1（Ｚ2，Ｚ3）の上記各副吹出口１７，１７，１８，１８が閉塞されている場合と、図７に示すようにこれら各副吹出口１７，１７，１８，１８の全て、又はその一部が開放されている場合とについて、それぞれ考察する。
【００５８】
先ず、図６に示すように、上記各副吹出口１７，１７，１８，１８が閉塞されている場合であるが、この場合には、上記室内機Ｚ1（Ｚ2，Ｚ3）においては、その運転により、非排気領域Ｓ2の周辺領域の空気を吸込空気Ａ1として吸込口２１側から吸入するとともに、この吸込空気Ａ1を熱交換器１５において熱交換して温度調整した後、上記室内機本体１の下面側の上記各主吹出口２２Ａ，２２Ａ，２２Ｂ，２２Ｂから吹出空気Ａ2として直下方向に向けて（即ち、直下の床面４１側に向けて）吹き出す。この場合、上記室内機Ｚ1（Ｚ2，Ｚ3）の上記各副吹出口１７，１７，１８，１８は閉塞状態とされており、該各副吹出口１７，１７，１８，１８からの空気吹き出しは行われないので、上記熱交換器１５において温度調整された空気はその全量が上記吹出空気Ａ2として上記各主吹出口２２Ａ，２２Ａ，２２Ｂ，２２Ｂから直下方向に向けて吹き出されることになる。
【００５９】
従って、上記室内機Ｚ1（Ｚ2，Ｚ3）の各主吹出口２２Ａ，２２Ａ，２２Ｂ，２２Ｂから直下方向に向けて吹き出される吹出空気Ａ2は、風量が多く且つその風速も高いことから、その気流の下方への到達距離が長くなり、床面４１側に十分に到達し、上記空調空間４２の空調を効率的に行うことになる。
【００６０】
また、上記室内機Ｚ1（Ｚ2，Ｚ3）が上記非排気領域Ｓ2の上方側、換言すれば、在室者が存在する可能性の高い上記排気領域Ｓ1から外れた位置に設置されているので、上記室内機Ｚ1（Ｚ2，Ｚ3）から吹出空気Ａ2が直下方向に吹き出されても、その気流が直接在室者に当たるということがほとんどなく、該在室者がドラフト感をもつことが可及的に防止される。
【００６１】
これらの結果、上記室内機Ｚ1（Ｚ2，Ｚ3）による上記空調空間４２の空調が快適に行われことになる。
【００６２】
一方、上記室内機Ｚ1（Ｚ2，Ｚ3）の各主吹出口２２Ａ，２２Ａ，２２Ｂ，２２Ｂからの吹出空気Ａ2の気流が上記排気領域Ｓ1に直接流れ込むということが可及的に抑制されることから、該気流によって上記調理器４６から立ち上がる油煙５２が側方に吹き飛ばされるということがなく、該油煙５２は上記排気装置４７の排気フード４８側にスムーズに吸入され、これによって上記排気装置４７による排気性能が良好に維持されるものである。
【００６３】
次に、図７に示すように、上記各副吹出口１７，１７，１８，１８の全て、又はその一部が開放されている場合（ここでは、上記第１副吹出口１７，１７のみが開放されている場合を例にとって説明する）であるが、この場合には、上記室内機Ｚ1（Ｚ2，Ｚ3）においては、その運転により、非排気領域Ｓ2の周辺領域の空気を吸込空気Ａ1として吸込口２１側から吸入し、これを熱交換器１５において熱交換して温度調整する。この温度調整された空気は、その一部は上記室内機本体１の下面側の上記各主吹出口２２Ａ，２２Ａ，２２Ｂ，２２Ｂから吹出空気Ａ2として直下方向に向けて（即ち、直下の床面４１側に向けて）吹き出され、他の一部は上記各第１副吹出口１７，１７から吹出空気Ａ3として側方へ向けて（即ち、天井面に沿った方向へ向けて）吹き出される。
【００６４】
従って、空調空間４２の空調性能という点においては、温度調整された空気の全量が空調空間４２側に吹き出されるので、上記の場合と同程度の空調性能が得られるが、特に側方への吹出空気Ａ3が存在することで、特に冷房運転時にはより一層良好な空調性能が得られることになる。
【００６５】
一方、上記各主吹出口２２Ａ，２２Ａ，２２Ｂ，２２Ｂに加えて、上記各副吹出口１７，１７，１８，１８を設けているので、該各主吹出口２２Ａ，２２Ａ，２２Ｂ，２２Ｂから直下方向に吹き出される吹出空気Ａ2についてみると、上記各副吹出口１７，１７，１８，１８からの吹出空気Ａ3の分だけ、その吹出風量が減少するとともにその風速も低下していることから、該吹出空気Ａ2の気流の下方への到達距離が短くなる。また、上記室内機Ｚ1（Ｚ2，Ｚ3）が上記非排気領域Ｓ2の上方側、換言すれば、在室者が存在する可能性の高い上記排気領域Ｓ1から外れた位置に設置されているので、上記室内機Ｚ1（Ｚ2，Ｚ3）から吹出空気Ａ2が直下方向に吹き出されても、その気流が直接在室者に当たることがほとんどなくなる。これらの相乗効果として、上記吹出空気Ａ2の気流による在室者のドラフト感がより一層軽減され、それだけ空調の快適性がさらに向上することになる。
【００６６】
さらに、上記室内機Ｚ1（Ｚ2，Ｚ3）の各主吹出口２２Ａ，２２Ａ，２２Ｂ，２２Ｂからの吹出空気Ａ2の気流の上記排気領域Ｓ1側への流れ込みがさらに抑制されることから、該気流によって上記調理器４６から立ち上がる油煙５２が側方に吹き飛ばされるということがほとんどなくなり、該油煙５２は上記排気装置４７の排気フード４８側にスムーズに吸入され、上記排気装置４７による排気性能がより一層向上することになる。
【００６７】
以上のように、上記第１〜第３の実施形態にかかる室内機Ｚ1〜Ｚ3を設置することで、空調の快適性を確保しつつ、良好な排気性能を維持することができるものであり、従って、この例の如く油煙の発生量の多い焼肉店の店内等に設置されるものとして好適である。
【００６８】
（Ｂ）  第２の形態群
（Ｂ−１）  第４の実施形態
図８及び図９には、本願発明の第４の実施形態にかかる分離型の空気調和装置の室内機Ｚ4を示している。この室内機Ｚ4は、所謂「天井吊下型」の室内機であって、下面が開口した矩形箱状形態をもち且つ天井側に吊下支持されるケーシング１１と、該ケーシング１１の下面開口を閉塞するようにその下方側から装着された吹出パネル２とで構成される室内機本体１を備えるとともに、該室内機本体１の内部にモータ１３により回転駆動されるファン１２と該ファン１２の外周側を囲繞する如く筒状に立設された熱交換器１５とをそれぞれ配置して構成される。
【００６９】
上記吹出パネル２は、略矩形の平板状形態を有し且つ平面方向の中央部に吸込口２１を、該吸込口２１の外側には該吸込口２１を矩形状に囲繞するように四つの吹出口、即ち、該吸込口２１を挟んで対向する一対の主吹出口２２Ａ，２２Ａと該主吹出口２２Ａ，２２Ａの対向方向に略直交する方向において上記吸込口２１を挟んで対向する他の一対の主吹出口２２Ｂ，２２Ｂとをそれぞれ設けて構成されている。
【００７０】
これら各主吹出口２２Ａ，２２Ａ，２２Ｂ，２２Ｂは、特許請求の範囲の「吹出口２２Ａ，２２Ｂ」に該当するものであって、この実施形態においては、共に上記吹出パネル２をその厚さ方向に貫通して斜め外側に指向する通路とされている。さらに、上記各主吹出口２２Ａ，２２Ａ，２２Ｂ，２２Ｂには、それぞれダンパー１９が備えられており、該ダンパー１９の開閉によって該各主吹出口２２Ａ，２２Ａ，２２Ｂ，２２Ｂは必要に応じて個別に開放又は閉塞される（図１１〜図１６を参照）。
【００７１】
尚、上記各主吹出口２２Ａ，２２Ａ，２２Ｂ，２２Ｂは、上記のようにダンパー１９により必要に応じて開放又は閉塞させる構成とする外に、例えば室内機の設置場所、使用形態等の条件に基づいて必要性の有無が予め想定できる場合には、必要性のあるもののみを設け、必要性の無いものは当初から設けない構成とすることも可能である。
【００７２】
一方、上記ケーシング１１の四つの側壁のうち、上記吹出パネル２側の各主吹出口２２Ａ，２２Ａに対応する一対の側壁１１ａ，１１ａには略水平方向に指向する第１副吹出口１７，１７が、また上記吹出パネル２の各主吹出口２２Ｂ，２２Ｂに対応する一対の側壁１１ｂ，１１ｂには略水平方向に指向する第２副吹出口１８，１８が、それぞれ設けられている。これら各副吹出口１７，１７，１８，１８は、特許請求の範囲の「副吹出口」に該当するものであって、それぞれダンパー２０が備えられており、該ダンパー２０の開閉によって上記各副吹出口１７，１７，１８，１８は開放又は閉塞される。尚、この実施形態においては、上記各副吹出口１７，１７，１８，１８を共に開放させた状態で使用するようにしている。
【００７３】
以上の如く構成された室内機Ｚ4においては、上記ファン１２の回転に伴い、上記吸込口２１から吸入される吸込空気Ａ1は、上記熱交換器１５においてその内部の循環冷媒との間での熱交換によって温度調整される。この温度調整された空気は、その一部は上記各主吹出口２２Ａ，２２Ａ，２２Ｂ，２２Ｂから吹出空気Ａ2として斜め下方に向けて吹き出され、他の一部は上記各副吹出口１７，１７，１８，１８から吹出空気Ａ3として側方へ向けて（即ち、天井面に沿う方向に向けて）吹き出される。
【００７４】
この場合、この実施形態の室内機Ｚ4おいては、上記各主吹出口２２Ａ，２２Ａ，２２Ｂ，２２Ｂとともに、上記各副吹出口１７，１７，１８，１８も開放されており、これら双方からそれぞれ吹出空気Ａ2及び吹出空気Ａ3が吹き出される構成であることから、例えば上記副吹出口１７，１７，１８，１８を設けない構成の場合に比して、該副吹出口１７，１７，１８，１８から吹き出される吹出空気Ａ3の分だけ、上記主吹出口２２Ａ，２２Ａ，２２Ｂ，２２Ｂから斜め下方へ向けて吹き出される吹出空気Ａ2の風量及び風速が低下しており、従って該吹出空気Ａ2の気流の到達距離は短くなっている。
【００７５】
（Ｂ−２）  第２の形態群における気流特性の説明
ここで、この第２の形態群に属する上記第４の実施形態にかかる室内機Ｚ4の使用状態時における気流特性を、図１０に示すように、該室内機Ｚ4を焼肉店等の油煙発生源及び油煙を排出するための排気装置を備えた店舗に設置した場合を例にとって説明する。
【００７６】
即ち、図１０に示すように、床面４１と天井４０とによって上下方向に区画された空調空間４２（即ち、焼肉店の店内空間）の該床面４１側には、コンロ等の調理器４６を備えたテーブル４５が所定間隔をもって多数設置されている。また、これら各テーブル４５，４５，・・の上方位置には、上記調理器４６から発生する油煙５２を室外へ排出させるために排気装置４７が設けられている。尚、この排気装置４７は、例えば、集煙用の排気フード４８を排気導出管４９を介して天井４０の上側に配置された排気ダクト５０に接続して構成され、該排気ダクト５０側に配置された排気ファン（図示省略）の吸引作用によって上記調理器４６からの油煙５２を上記排気フード４８側に集煙し且つこれを上記排気導出管４９を介して上記排気ダクト５０側に導出するようになっている。
【００７７】
そして、このような環境条件をもつ空調空間４２の空調を行うべく上記天井４０側に上記室内機Ｚ4を設置する場合、該室内機Ｚ4からの吹出空気Ａ2による在室者のドラフト感を防止するとの観点から、該室内機Ｚ4を、上記各テーブル４５，４５，・・の近傍の各排気領域Ｓ1，Ｓ1，・・を避けて、これら各テーブル４５，４５，・・の中間の通路部分に対応する非排気領域Ｓ2の上方位置に設置している。
【００７８】
ここで、上記各調理器４６，４６，・・のそれぞれにおいて焼肉調理が行われ、該調理器４６，４６，・・から発生する油煙５２を上記各排気装置４７，４７，・・によって排気している状態において、上記室内機Ｚ4が運転される場合における気流特性を考察する。
【００７９】
図１０に示すように、上記室内機Ｚ4においては、その運転により、非排気領域Ｓ2の周辺領域の空気を吸込空気Ａ1として吸込口２１側から吸入し、これを熱交換器１５において熱交換して温度調整する。この温度調整された空気は、その一部は上記室内機本体１の下面側の上記各主吹出口２２Ａ，２２Ａ，２２Ｂ，２２Ｂから吹出空気Ａ2として斜め下方に向けて吹き出され、他の一部は上記各副吹出口１７，１７，１８，１８から吹出空気Ａ3として側方へ向けて（即ち、天井面に沿った方向へ向けて）吹き出される。
【００８０】
従って、空調空間４２の空調性能という点においては、温度調整された空気の全量が空調空間４２側に吹き出されるので、上記第１の吹出パターンにおける第１〜第３の実施形態の場合と同程度の空調性能が得られるが、特に側方への吹出空気Ａ3が存在することで、特に冷房運転時にはより一層良好な空調性能が得られることになる。
【００８１】
また、上記各主吹出口２２Ａ，２２Ａ，２２Ｂ，２２Ｂに加えて、上記各副吹出口１７，１７，１８，１８を設けているので、該各主吹出口２２Ａ，２２Ａ，２２Ｂ，２２Ｂから斜め下方に吹き出される吹出空気Ａ2についてみると、上記各副吹出口１７，１７，１８，１８からの吹出空気Ａ3の分だけ、その吹出風量が減少しているとともに、その風速が低下していることで該吹出空気Ａ2の気流の斜め下方への到達距離も短くなっている。従って、上記室内機Ｚ4から吹出空気Ａ2が上記排気領域Ｓ1側に向けて斜め下方に吹き出されても、その気流が直接在室者に当たるということがほとんどなくなる。これらの相乗効果として、上記吹出空気Ａ2の気流による在室者のドラフト感の一層の軽減が図られ、それだけ快適性に優れた空調が実現されることになる。
【００８２】
一方、上記室内機Ｚ4の各主吹出口２２Ａ，２２Ａ，２２Ｂ，２２Ｂからの吹出空気Ａ2の気流の上記排気領域Ｓ1側への流れ込みが抑制されていることから、該気流によって上記調理器４６から立ち上がる油煙５２が側方に吹き飛ばされるということもほとんどなく、該油煙５２は上記排気装置４７の排気フード４８側にスムーズに吸入され、上記排気装置４７による排気性能がより一層向上することになる。
【００８３】
以上のように、上記第４の実施形態にかかる室内機Ｚ4を設置することで、空調の快適性を確保しつつ、良好な排気性能を維持することができるものであり、従って、この例の如く油煙の発生量の多い焼肉店の店内等に設置されるものとして好適である。
【００８４】
（Ｃ）  第１及び第２の形態群における吹出パターンの説明
続いて、上記第１の形態群に属する第１〜第３の実施形態にかかる室内機Ｚ1〜Ｚ3、及び第２の形態群に属する第４の実施形態にかかる室内機Ｚ4のそれぞれに適用可能な第１〜第６の吹出パターン（即ち、上記各主吹出口２２Ａ，２２Ａ，２２Ｂ，２２Ｂ及び上記各副吹出口１７，１７，１８，１８の開閉パターン）を図１１〜図１６に基づいて説明する。
【００８５】
（Ｃ−１）  第１の吹出パターン
第１の吹出パターンは、図１１に示すように、上記各主吹出口２２Ａ，２２Ａ，２２Ｂ，２２Ｂを全て開放する一方、上記各副吹出口１７，１７，１８，１８を全て閉塞し、上記各主吹出口２２Ａ，２２Ａ，２２Ｂ，２２Ｂのみから吹出空気Ａ2を吹き出すものである。
【００８６】
この第１の吹出パターンは、上記第１〜第３の実施形態にかかる室内機Ｚ1〜Ｚ3に適用可能な吹出パターンであって、この第１の吹出パターンを採用した場合には、上記第１〜第３の実施形態においてそれぞれ説明した基本的効果が得られるのに加えて、以下のような特有の効果が得られるものである。
【００８７】
即ち、この第１の吹出パターンにおいては、上記室内機本体１の下面側から直下方向に向けて大風量で且つ大風速で吹出空気Ａ2が吹き出されるので、吹出空気Ａ2の気流の床面４１側への到達距離が最も大きく、特に暖房運転時における温暖効果がより迅速に得られるものである。
【００８８】
（Ｃ−２）  第２の吹出パターン
第２の吹出パターンは、図１２に示すように、上記各主吹出口２２Ａ，２２Ａ，２２Ｂ，２２Ｂを全て開放する一方、上記各副吹出口１７，１７，１８，１８側においては、第１副吹出口１７，１７のみを開放し、第２副吹出口１８，１８はこれを閉塞し、上記各主吹出口２２Ａ，２２Ａ，２２Ｂ，２２Ｂから吹出空気Ａ2を吹き出すとともに、上記第１副吹出口１７，１７からも吹出空気Ａ3を吹き出すものである。
【００８９】
この第２の吹出パターンは、上記第１〜第３の実施形態にかかる室内機Ｚ1〜Ｚ3に適用可能な吹出パターンであって、この第２の吹出パターンを採用した場合には、上記第１〜第３の実施形態においてそれぞれ説明した基本的効果が得られるのに加えて、以下のような特有の効果が得られるものである。
【００９０】
即ち、この第２の吹出パターンにおいては、上記各主吹出口２２Ａ，２２Ａ，２２Ｂ，２２Ｂからの吹出空気Ａ2の風量及び風速を、上記各副吹出口１７，１７，１８，１８の全てが閉塞されている場合と該各副吹出口１７，１７，１８，１８の全てが開放されている場合の中間状態に設定することができるものである。
【００９１】
（Ｃ−３）  第３の吹出パターン
第３の吹出パターンは、図１３に示すように、上記各主吹出口２２Ａ，２２Ａ，２２Ｂ，２２Ｂ側においては主吹出口２２Ａ，２２Ａのみを開放し、主吹出口２２Ｂ，２２Ｂはこれを閉塞する一方、上記各副吹出口１７，１７，１８，１８側においては第１副吹出口１７，１７のみを開放し、第２副吹出口１８，１８はこれを閉塞し、上記主吹出口２２Ａ，２２Ａから吹出空気Ａ2を吹き出すとともに、上記第１副吹出口１７，１７からも吹出空気Ａ3を吹き出すものである。
【００９２】
この第３の吹出パターンは、上記第１〜第３の実施形態にかかる室内機Ｚ1〜Ｚ3に適用可能な吹出パターンであって、この第３の吹出パターンを採用した場合には、上記第１〜第３の実施形態においてそれぞれ説明した基本的効果が得られるのに加えて、以下のような特有の効果が得られるものである。
【００９３】
即ち、この第３の吹出パターンにおいては、吹出空気Ａ2を直下方向に吹き出す主吹出口２２Ａ，２２Ａと吹出空気Ａ2を側方へ吹き出す第１副吹出口１７，１７とが室内機Ｚ1（Ｚ2，Ｚ3）の中心を通る一つの直線上に位置しているので、例えば室内機Ｚ1（Ｚ2，Ｚ3）を空調空間４２における通路部分等の非排気領域Ｓ2に対応させるとともに、上記直線の方向を通路方向に合致させることで、上記吹出空気Ａ2の気流の影響が上記テーブル４５部分、即ち、在室者に及ぶのが可及的に抑制され、空調の快適性がさらに高められることになる。
【００９４】
（Ｃ−４）  第４の吹出パターン
第４の吹出パターンは、図１４に示すように、上記各主吹出口２２Ａ，２２Ａ，２２Ｂ，２２Ｂ側においては主吹出口２２Ａ，２２Ａを閉塞し、主吹出口２２Ｂ，２２Ｂを開放させる一方、上記各副吹出口１７，１７，１８，１８側においては第１副吹出口１７，１７を開放し、第２副吹出口１８，１８はこれを閉塞し、上記主吹出口２２Ｂ，２２Ｂから吹出空気Ａ2を吹き出すとともに、上記第１副吹出口１７，１７からも吹出空気Ａ3を吹き出すものである。
【００９５】
この第４の吹出パターンは、上記第１〜第３の実施形態にかかる室内機Ｚ1〜Ｚ3に適用可能な吹出パターンであって、この第３の吹出パターンを採用した場合には、上記第１〜第３の実施形態においてそれぞれ説明した基本的効果が得られるのに加えて、以下のような特有の効果が得られるものである。
【００９６】
即ち、この第４の吹出パターンにおいては、室内機Ｚ1（Ｚ2，Ｚ3）の四つの側面の全てに吹出口が存在し熱交換器１５がこれら四つの側面の全てに臨んでいるので（換言すれば、吹出口が無く熱交換器１５が完全に閉ざされる面が存在しないので）、所要の空調能力を出し易く、延いては室内機Ｚ1（Ｚ2，Ｚ3）の小型化が可能となるものである。
【００９７】
（Ｃ−５）  第５の吹出パターン
第５の吹出パターンは、図１５に示すように、上記各主吹出口２２Ａ，２２Ａ，２２Ｂ，２２Ｂ側においては主吹出口２２Ａ，２２Ａを開放し、主吹出口２２Ｂ，２２Ｂを閉塞する一方、上記各副吹出口１７，１７，１８，１８側においてはこれら全てを開放し、上記主吹出口２２Ａ，２２Ａから吹出空気Ａ2を吹き出すとともに、上記各副吹出口１７，１７，１８，１８からも吹出空気Ａ3を吹き出すものである。
【００９８】
この第５の吹出パターンは、上記第１〜第３の実施形態にかかる室内機Ｚ1〜Ｚ3に適用可能な吹出パターンであって、この第５の吹出パターンを採用した場合には、上記第１〜第３の実施形態においてそれぞれ説明した基本的効果が得られるのに加えて、以下のような特有の効果が得られるものである。
【００９９】
即ち、この第５の吹出パターンにおいては、上記第３の吹出パターンにおいて第２副吹出口１８，１８を開放させた形態となっているので、該第３の吹出パターンの場合よりもさらに吹出空気Ａ2及び吹出空気Ａ3の風量及び風速が低減され空調の快適性が高められるとともに、室内機Ｚ1（Ｚ2，Ｚ3）の四つの側面の全てに吹出口が存在し熱交換器１５がこれら四つの側面の全てに臨んでいるので（換言すれば、吹出口が無く熱交換器１５が完全に閉ざされる面が存在しないので）、所要の空調能力を出し易く、延いては室内機Ｚ1（Ｚ2，Ｚ3）の小型化が可能となるものである。
【０１００】
（Ｃ−６）  第６の吹出パターン
第６の吹出パターンは、図１６に示すように、上記各主吹出口２２Ａ，２２Ａ，２２Ｂ，２２Ｂの全て、及び上記各副吹出口１７，１７，１８，１８の全てを開放し、上記各主吹出口２２Ａ，２２Ａ，２２Ｂ，２２Ｂから吹出空気Ａ2を吹き出すとともに、上記副吹出口１７，１７，１８，１８からも吹出空気Ａ3を吹き出すものである。
【０１０１】
この第６の吹出パターンは、上記第１〜第４の実施形態にかかる室内機Ｚ1〜Ｚ4に適用可能な吹出パターンであって、この第６の吹出パターンを採用した場合には、上記第１〜第４の実施形態においてそれぞれ説明した基本的効果が得られるのに加えて、以下のような特有の効果が得られるものである。
【０１０２】
即ち、この第６の吹出パターンにおいては、上記第２の吹出パターンにおいて第２副吹出口１８，１８を開放させた形態となっているので、該第２の吹出パターンの場合よりもさらに吹出空気Ａ2及び吹出空気Ａ3の風量及び風速が低減され空調の快適性が高められるものである。
【０１０３】
（Ｄ）  第３の形態群
（Ｄ−１）  第５の実施形態
図１７及び図１８には、本願発明の第５の実施形態にかかる分離型の空気調和装置の室内機Ｚ5を示している。この室内機Ｚ5は、所謂「天井埋込型」の室内機であって、下面が開口した矩形箱状形態をもち且つ天井４０側に埋込配置されるケーシング１１と、該ケーシング１１の下面開口を閉塞するようにその下方側から装着された吹出パネル２とで構成される室内機本体１を備えるとともに、該室内機本体１の内部にモータ１３により回転駆動されるファン１２と該ファン１２の外周側を囲繞する如く筒状に立設された熱交換器１５とをそれぞれ配置して構成される。
【０１０４】
上記吹出パネル２は、略矩形の平板状形態を有し且つ平面方向の中央部に吸込口２１を、該吸込口２１の外側には該吸込口２１を矩形状に囲繞するように四つの吹出口、即ち、該吸込口２１を挟んで対向する一対の主吹出口２２Ａ，２２Ａと該主吹出口２２Ａ，２２Ａの対向方向に略直交する方向において上記吸込口２１を挟んで対向する他の一対の主吹出口２２Ｂ，２２Ｂとをそれぞれ設けて構成されている。
【０１０５】
これら各主吹出口２２Ａ，２２Ａ，２２Ｂ，２２Ｂは、特許請求の範囲の「吹出口２２Ａ，２２Ｂ」に該当するものであって、この実施形態においては、共に上記吹出パネル２をその厚さ方向に貫通して直下方向に指向する通路とされている。また、上記各主吹出口２２Ａ，２２Ａ，２２Ｂ，２２Ｂには、それぞれダンパー１９が備えられており、該ダンパー１９の開閉によって該各主吹出口２２Ａ，２２Ａ，２２Ｂ，２２Ｂは必要に応じて個別に開放又は閉塞される（図２３〜図２５を参照）。
【０１０６】
尚、上記各主吹出口２２Ａ，２２Ａ，２２Ｂ，２２Ｂは、上記のようにダンパー１９により必要に応じて開放又は閉塞させる構成とする外に、例えば室内機の設置場所、使用形態等の条件に基づいて必要性の有無が予め想定できる場合には、必要性のあるもののみを設け、必要性の無いものは当初から設けない構成とすることも可能である。
【０１０７】
一方、上記ケーシング１１の四つの側壁のうち、上記吹出パネル２側の各主吹出口２２Ａ，２２Ａに対応する一対の側壁１１ａ，１１ａには略水平方向に指向する第１副吹出口１７，１７（特許請求の範囲の「副吹出口」に該当する）が設けられている。この副吹出口１７，１７には、上記天井４０の上側において略水平に延びるダクト３１，３１がそれぞれ接続されるとともに、該各ダクト３１，３１の先端には、その下面に副吹出口３３を設けた吹出口ユニット３２がそれぞれ接続されている。
【０１０８】
尚、上記吹出口ユニット３２の副吹出口３３は、上記天井４０を貫通して上記空調空間４２に露出されている。また、上記ダクト３１の長さ及び上記ケーシング１１からの延出方向は、室内機Ｚ5の設置条件に応じて適宜設定される。因に、この実施形態においては、ダクト３１を直筒体とし、且つその延出方向を上記ケーシン１１の側壁１１ａに直交する方向に設定するとともに、図２２に示すように上記吹出口ユニット３２が平面方向において上記室内機本体１と排気装置４７との中間に位置するように該ダクト３１の長さを設定している。
【０１０９】
以上の如く構成された室内機Ｚ5においては、上記ファン１２の回転に伴い、上記吸込口２１から吸入される吸込空気Ａ1は、上記熱交換器１５においてその内部の循環冷媒との間での熱交換によって温度調整される。そして、この温度調整された空気は、その一部が上記各主吹出口２２Ａ，２２Ａ，２２Ｂ，２２Ｂから吹出空気Ａ2として直下方向に吹き出され、他の一部は上記ダクト３１及び吹出口ユニット３２を介して上記副吹出口３３から直下方向に吹き出される。
【０１１０】
従って、この室内機Ｚ5においては、例えば上記第１副吹出口１７，１７を設けず上記主吹出口２２Ａ，２２Ａ，２２Ｂ，２２Ｂのみから吹出空気Ａ2を吹き出す構成とした場合に比して、上記各副吹出口３３，３３から吹出空気Ａ3が吹き出される分だけ、該各主吹出口２２Ａ，２２Ａ，２２Ｂ，２２Ｂから吹き出される吹出空気Ａ2の風量及び風速が低下し、上記各副吹出口３３，３３から吹き出される吹出空気Ａ3の風量及び風速に近いものとなり、例えば、上記副吹出口３３，３３を設けないものに比して、上記天井４０側のより広い平面領域から且つ風速の低い吹出空気Ａ2，Ａ3が直下方向に向けて吹き出されることになる。
【０１１１】
（Ｄ−２）  第６の実施形態
図１９及び図２０には、本願発明の第６の実施形態にかかる分離型の空気調和装置の室内機Ｚ6を示している。この室内機Ｚ6は、所謂「天井埋込型」の室内機であって、下面が開口した矩形箱状形態をもち且つ天井４０側に埋込配置されるケーシング１１と、該ケーシング１１の下面開口を閉塞するようにその下方側から装着された吹出パネル２とで構成される室内機本体１を備えるとともに、該室内機本体１の内部にモータ１３により回転駆動されるファン１２と該ファン１２の外周側を囲繞する如く筒状に立設された熱交換器１５とをそれぞれ配置して構成される。
【０１１２】
上記吹出パネル２は、略矩形の平板状形態を有し且つ平面方向の中央部に吸込口２１を、該吸込口２１の外側には該吸込口２１を矩形状に囲繞するように四つの吹出口、即ち、該吸込口２１を挟んで対向する一対の主吹出口２２Ａ，２２Ａと該主吹出口２２Ａ，２２Ａの対向方向に略直交する方向において上記吸込口２１を挟んで対向する他の一対の主吹出口２２Ｂ，２２Ｂとをそれぞれ設けて構成されている。
【０１１３】
これら各主吹出口２２Ａ，２２Ａ，２２Ｂ，２２Ｂは、特許請求の範囲の「吹出口２２Ａ，２２Ｂ」に該当するものであって、この実施形態においては、共に上記吹出パネル２をその厚さ方向に貫通して直下方向に指向する通路とされるとともに、該各主吹出口２２Ａ，２２Ａ，２２Ｂ，２２Ｂの外端（下端）には、長矩形筒状形態をもつ吹出ガイド部材２５が、上記吹出パネル２の下面から下方へ突出状態でそれぞれ連接されており、該各主吹出口２２Ａ，２２Ａ，２２Ｂ，２２Ｂはこれら各吹出ガイド部材２５，２５，・・によって直下方向に指向する通路が延長された状態となっている。さらに、上記各主吹出口２２Ａ，２２Ａ，２２Ｂ，２２Ｂには、それぞれダンパー１９が備えられており、該ダンパー１９の開閉によって該各主吹出口２２Ａ，２２Ａ，２２Ｂ，２２Ｂは必要に応じて個別に開放又は閉塞される（図２３〜図２５を参照）。
【０１１４】
尚、上記各主吹出口２２Ａ，２２Ａ，２２Ｂ，２２Ｂは、上記のようにダンパー１９により必要に応じて開放又は閉塞させる構成とする外に、例えば室内機の設置場所、使用形態等の条件に基づいて必要性の有無が予め想定できる場合には、必要性のあるもののみを設け、必要性の無いものは当初から設けない構成とすることも可能である。また、上記吹出ガイド部材２５は、この実施形態のように上記吹出パネル２と一体的に形成する外に、例えば上記吹出パネル２とは別体に形成し、事後的に該吹出パネル２の各主吹出口２２Ａ，２２Ａ，２２Ｂ，２２Ｂ部分に取り付けるようにすることもできる（例えば、図２１を参照）。
【０１１５】
一方、上記ケーシング１１の四つの側壁のうち、上記吹出パネル２側の各主吹出口２２Ａ，２２Ａに対応する一対の側壁１１ａ，１１ａには略水平方向に指向する第１副吹出口１７，１７が設けられている。この副吹出口１７，１７は、特許請求の範囲の「副吹出口」に該当するものであって、上記天井４０の上側において略水平に延びるダクト３１，３１がそれぞれ接続されるとともに、該各ダクト３１，３１の先端には、その下面に副吹出口３３を設けた吹出口ユニット３２がそれぞれ接続されている。
【０１１６】
尚、上記吹出口ユニット３２の副吹出口３３は、上記天井４０を貫通して上記空調空間４２に露出されている。また、上記ダクト３１の長さ及び上記ケーシング１１からの延出方向は室内機Ｚ6の設置条件に応じて適宜設定される。因に、この実施形態においては、ダクト３１を直筒体とし、且つその延出方向を上記ケーシング１１の側壁１１ａに直交する方向に設定するとともに、図２２に示すように上記吹出口ユニット３２が平面方向において上記室内機本体１と排気装置４７との中間に位置するように該ダクト３１の長さを設定している。
【０１１７】
以上の如く構成された室内機Ｚ6においては、上記ファン１２の回転に伴い、上記吸込口２１から吸入される吸込空気Ａ1は、上記熱交換器１５においてその内部の循環冷媒との間での熱交換によって温度調整される。そして、この温度調整された空気は、その一部が上記各主吹出口２２Ａ，２２Ａ，２２Ｂ，２２Ｂから吹出空気Ａ2として直下方向に吹き出され、他の一部は上記ダクト３１及び吹出口ユニット３２を介して上記副吹出口３３から直下方向に吹き出される。
【０１１８】
従って、この室内機Ｚ6においては、例えば上記第１副吹出口１７，１７を設けず上記主吹出口２２Ａ，２２Ａ，２２Ｂ，２２Ｂのみから吹出空気Ａ2を吹き出す構成とした場合に比して、上記各副吹出口３３，３３から吹出空気Ａ3が吹き出される分だけ、該各主吹出口２２Ａ，２２Ａ，２２Ｂ，２２Ｂから吹き出される吹出空気Ａ2の風量及び風速が低下し、且つ上記各副吹出口３３，３３から吹き出される吹出空気Ａ3の風量及び風速に近いものとなることから、例えば、上記副吹出口３３，３３を設けないものに比して、上記天井４０側のより広い平面領域から且つ比較的風速の低い吹出空気Ａ2，Ａ3が直下方向に向けて吹き出されることになる。
【０１１９】
また、この場合、上記各主吹出口２２Ａ，２２Ａ，２２Ｂ，２２Ｂには上記各吹出ガイド部材２５，２５，・・が設けられているため、上記吹出空気Ａ2は、上記室内機本体１の下面側から直下方向に向けて吹き出されるとともに、該吹出ガイド部材２５によって上記主吹出口２２Ａ，２２Ａ，２２Ｂ，２２Ｂから吹出直後における拡散が防止されることから、該吹出空気Ａ2は下方へ比較的強い指向性をもち、その気流の到達距離が長くなり、床面４１側への到達度合いが大きい。さらに、上記各主吹出口２２Ａ，２２Ａ，２２Ｂ，２２Ｂのそれぞれに上記吹出ガイド部材２５が設けられているので、該吹出ガイド部材２５の遮蔽作用によって上記吸込空気Ａ1と吹出空気Ａ2とが区画される状態となり、従って、上記吸込口２１と上記各主吹出口２２Ａ，２２Ａ，２２Ｂ，２２Ｂとが比較的接近した位置にあったとしても、上記各主吹出口２２Ａ，２２Ａ，２２Ｂ，２２Ｂから吹出ガイド部材２５を通して直下方向へ吹き出される吹出空気Ａ2の一部がそのまま上記吸込口２１側に吸込空気Ａ1として吸い込まれる現象、所謂「ショートサーキット現象」の発生が可及的に防止されることになる。これらの相乗効果として、快適性の高い空調が実現される。
【０１２０】
（Ｄ−３）  第７の実施形態
図２１には、本願発明の第７の実施形態にかかる分離型の空気調和装置の室内機Ｚ7を示している。この室内機Ｚ7は、所謂「天井埋込型」の室内機であって、下面が開口した矩形箱状形態をもち且つ天井４０側に埋込配置されるケーシング１１と、該ケーシング１１の下面開口を閉塞するようにその下方側から装着された吹出パネル２とで構成される室内機本体１を備えるとともに、該室内機本体１の内部にモータ１３により回転駆動されるファン１２と該ファン１２の外周側を囲繞する如く筒状に立設された熱交換器１５とをそれぞれ配置して構成される。
【０１２１】
上記吹出パネル２は、略矩形の平板状形態を有し且つ平面方向の中央部に吸込口２１を、該吸込口２１の外側には該吸込口２１を矩形状に囲繞するように四つの吹出口、即ち、該吸込口２１を挟んで対向する一対の主吹出口２２Ａ，２２Ａと該主吹出口２２Ａ，２２Ａの対向方向に略直交する方向において上記吸込口２１を挟んで対向する他の一対の主吹出口２２Ｂ，２２Ｂとをそれぞれ設けて構成されている。
【０１２２】
これら各主吹出口２２Ａ，２２Ａ，２２Ｂ，２２Ｂは、特許請求の範囲の「吹出口２２Ａ，２２Ｂ」に該当するものであって、この実施形態においては、共に上記吹出パネル２をその厚さ方向に貫通し外側に向けて下降傾斜する通路とされるとともに、該各主吹出口２２Ａ，２２Ａ，２２Ｂ，２２Ｂの外端（下端）には、長矩形筒状形態をもつ吹出ガイド部材２５が、上記吹出パネル２の下面から下方へ突出状態でそれぞれ取り付けられており、該各主吹出口２２Ａ，２２Ａ，２２Ｂ，２２Ｂは、これら各吹出ガイド部材２５，２５，・・によってその通路方向が斜め外側への下降傾斜方向から直下方向へ修正されたような状態となっている。さらに、上記各主吹出口２２Ａ，２２Ａ，２２Ｂ，２２Ｂには、それぞれダンパー１９が備えられており、該ダンパー１９の開閉によって該各主吹出口２２Ａ，２２Ａ，２２Ｂ，２２Ｂは必要に応じて個別に開放又は閉塞される（図２３〜図２５を参照）。
【０１２３】
尚、上記各主吹出口２２Ａ，２２Ａ，２２Ｂ，２２Ｂは、上記のようにダンパー１９により必要に応じて開放又は閉塞させる構成とする外に、例えば室内機の設置場所、使用形態等の条件に基づいて必要性の有無が予め想定できる場合には、必要性のあるもののみを設け、必要性の無いものは当初から設けない構成とすることも可能である。また、上記吹出ガイド部材２５は、この実施形態のように上記吹出パネル２と別体に形成する外に、例えば上記吹出パネル２と一体に形成することもできる（例えば、図２０を参照）。
【０１２４】
一方、上記ケーシング１１の四つの側壁のうち、上記吹出パネル２側の各主吹出口２２Ａ，２２Ａに対応する一対の側壁１１ａ，１１ａには略水平方向に指向する第１副吹出口１７，１７が設けられている。この副吹出口１７，１７は、特許請求の範囲の「副吹出口」に該当するものであって、上記天井４０の上側において略水平に延びるダクト３１，３１がそれぞれ接続されるとともに、該各ダクト３１，３１の先端には、その下面に副吹出口３３を設けた吹出口ユニット３２がそれぞれ接続されている。
【０１２５】
尚、上記吹出口ユニット３２の副吹出口３３は、上記天井４０を貫通して上記空調空間４２に露出されている。また、上記ダクト３１の長さ及び上記ケーシング１１からの延出方向は室内機Ｚ7の設置条件に応じて適宜設定される。因に、この実施形態においては、ダクト３１を直筒体とし、且つその延出方向を上記ケーシング１１の側壁１１ａに直交する方向に設定するとともに、図２２に示すように上記吹出口ユニット３２が平面方向において上記室内機本体１と排気装置４７との中間に位置するように該ダクト３１の長さを設定している。
【０１２６】
以上の如く構成された室内機Ｚ7においては、上記ファン１２の回転に伴い、上記吸込口２１から吸入される吸込空気Ａ1は、上記熱交換器１５においてその内部の循環冷媒との間での熱交換によって温度調整される。そして、この温度調整された空気は、その一部が上記各主吹出口２２Ａ，２２Ａ，２２Ｂ，２２Ｂから吹出空気Ａ2として直下方向に吹き出され、他の一部は上記ダクト３１及び吹出口ユニット３２を介して上記副吹出口３３から直下方向に吹き出される。
【０１２７】
従って、この室内機Ｚ7においては、例えば上記第１副吹出口１７，１７を設けず上記主吹出口２２Ａ，２２Ａ，２２Ｂ，２２Ｂのみから吹出空気Ａ2を吹き出す構成とした場合に比して、上記各副吹出口３３，３３から吹出空気Ａ3が吹き出される分だけ、該各主吹出口２２Ａ，２２Ａ，２２Ｂ，２２Ｂから吹き出される吹出空気Ａ2の風量及び風速が低下し、且つ上記各副吹出口３３，３３から吹き出される吹出空気Ａ3の風量及び風速に近いものとなるため、例えば、上記副吹出口３３，３３を設けないものに比して、上記天井４０側のより広い平面領域から且つ比較的風速の低い吹出空気Ａ2，Ａ3が直下方向に向けて吹き出されることになる。
【０１２８】
また、この場合、上記各主吹出口２２Ａ，２２Ａ，２２Ｂ，２２Ｂには上記各吹出ガイド部材２５，２５，・・が設けられているため、上記吹出空気Ａ2は、上記室内機本体１の下面側から直下方向に向けて吹き出されるとともに、該吹出ガイド部材２５によって上記主吹出口２２Ａ，２２Ａ，２２Ｂ，２２Ｂから吹出直後における拡散が防止されることから、該吹出空気Ａ2は下方へ比較的強い指向性をもち、その気流の到達距離が長くなり、床面４１側への到達度合いが大きい。さらに、上記各主吹出口２２Ａ，２２Ａ，２２Ｂ，２２Ｂのそれぞれに上記吹出ガイド部材２５が設けられているので、該吹出ガイド部材２５の遮蔽作用によって上記吸込空気Ａ1と吹出空気Ａ2とが区画される状態となり、従って、上記吸込口２１と上記各主吹出口２２Ａ，２２Ａ，２２Ｂ，２２Ｂとが比較的接近した位置にあったとしても、上記各主吹出口２２Ａ，２２Ａ，２２Ｂ，２２Ｂから吹出ガイド部材２５を通して直下方向へ吹き出される吹出空気Ａ2の一部がそのまま上記吸込口２１側に吸込空気Ａ1として吸い込まれる現象、所謂「ショートサーキット現象」の発生が可及的に防止されることになる。これらの相乗効果として、快適性の高い空調が実現される。
【０１２９】
（Ｄ−４）  第３の形態群における気流特性の説明
ここで、この第３の形態群に属する上記第５〜第７の実施形態にかかる室内機Ｚ5〜Ｚ7の使用状態時における気流特性を、図２２に示すように、該室内機Ｚ5〜Ｚ7を、油煙発生源及び油煙を排出するための排気装置を備えた焼肉店等の店舗に設置した場合を例にとって説明する。
【０１３０】
即ち、図２２に示すように、床面４１と天井４０とによって上下方向に区画された空調空間４２（即ち、焼肉店の店内空間）の該床面４１側には、コンロ等の調理器４６を備えたテーブル４５が所定間隔をもって多数設置されている。また、これら各テーブル４５，４５，・・の上方位置には、上記調理器４６から発生する油煙５２を室外へ排出させるために排気装置４７が設けられている。尚、この排気装置４７は、例えば、集煙用の排気フード４８を排気導出管４９を介して天井４０の上側に配置された排気ダクト５０に接続して構成され、該排気ダクト５０側に配置された排気ファン（図示省略）の吸引作用によって上記調理器４６からの油煙５２を上記排気フード４８側に集煙し且つこれを上記排気導出管４９を介して上記排気ダクト５０側に導出するようになっている。
【０１３１】
そして、このような環境条件をもつ空調空間４２の空調を行うべく上記天井４０側に上記室内機Ｚ5（Ｚ6，Ｚ7）を設置する場合、該室内機Ｚ5（Ｚ6，Ｚ7）からの吹出空気Ａ2による在室者のドラフト感を防止するとの観点から、該室内機Ｚ5（Ｚ6，Ｚ7）を、上記各テーブル４５，４５，・・の近傍の各排気領域Ｓ1，Ｓ1，・・を避けて、これら各テーブル４５，４５，・・の中間の通路部分に対応する非排気領域Ｓ2の上方位置に設置している。
【０１３２】
ここで、上記各調理器４６，４６，・・のそれぞれにおいて焼肉調理が行われ、該調理器４６，４６，・・から発生する油煙５２を上記各排気装置４７，４７，・・によって排気している状態において、上記室内機Ｚ5（Ｚ6，Ｚ7）が運転される場合における気流特性を考察する。
【０１３３】
図２２に示すように、上記室内機Ｚ5（Ｚ6，Ｚ7）においては、その運転により、非排気領域Ｓ2の周辺領域の空気を吸込空気Ａ1として吸込口２１側から吸入し、これを熱交換器１５において熱交換して温度調整する。この温度調整された空気は、その一部は上記室内機本体１の下面側の上記各主吹出口２２Ａ，２２Ａ，２２Ｂ，２２Ｂから吹出空気Ａ2として直下方向に向けて（即ち、直下の床面４１側に向けて）吹き出され、他の一部は上記各第１副吹出口１７，１７から上記ダクト３１及び吹出口ユニット３２を介して上記各副吹出口３３，３３から吹出空気Ａ3として直下方向に向けて吹き出される。
【０１３４】
従って、上記室内機Ｚ5（Ｚ6，Ｚ7）を設置することで、該室内機Ｚ5（Ｚ6，Ｚ7）の下面側に設けられた上記各主吹出口２２Ａ，２２Ａ，２２Ｂ，２２Ｂと該各主吹出口２２Ａ，２２Ａ，２２Ｂ，２２Ｂから側方へ適宜離間して配置された上記各副吹出口３３，３３の双方からそれぞれ吹出空気Ａ2及び吹出空気Ａ3が直下方向に吹き出され、しかも吹出空気が上記主吹出口２２Ａ，２２Ａ，２２Ｂ，２２Ｂ側と上記副吹出口３３，３３側とに分割されたことによって上記吹出空気Ａ2及び吹出空気Ａ3の風量及び風速が比較的低く且つ可及的に均一化されることから、該吹出空気Ａ2及び吹出空気Ａ3の下方への到達距離は比較的短く、床面４１側に直接これら吹出空気Ａ2及び吹出空気Ａ3が到達するとことは少ない。また、上記各主吹出口２２Ａ，２２Ａ，２２Ｂ，２２Ｂ及び各副吹出口３３，３３が上記各排気領域Ｓ1，Ｓ1，・・の間に位置する非排気領域Ｓ2の上方側に設置されていることで、上記吹出空気Ａ2及び吹出空気Ａ3の気流の影響が上記排気領域Ｓ1側に及ぶのが可及的に抑制される。
【０１３５】
これら相乗効果として、上記吹出空気Ａ2及び吹出空気Ａ3の気流による在室者のドラフト感がより一層軽減され、より高い快適性をもつ空調が実現されるとともに、上記吹出空気Ａ2及び吹出空気Ａ3の気流によって上記調理器４６から立ち上がる油煙５２が側方に吹き飛ばされるということがほとんどなく、該油煙５２は上記排気装置４７の排気フード４８側にスムーズに吸入され、上記排気装置４７による排気性能がより一層向上することになる。
【０１３６】
以上のように、上記第５〜第７の実施形態にかかる室内機Ｚ5〜Ｚ7を設置することで、空調の快適性を確保しつつ、良好な排気性能を維持することができるものであり、従って、この例の如く油煙の発生量の多い焼肉店の店内等に設置されるものとして好適である。
【０１３７】
（Ｄ−５）  第３の形態群における吹出パターンの説明
続いて、上記第３の形態群に属する第５〜第７の実施形態にかかる室内機Ｚ5（Ｚ6，Ｚ7）のそれぞれに適用可能な第７〜第９の吹出パターン（即ち、上記第１副吹出口１７，１７は常に開放状態とされているので、上記各主吹出口２２Ａ，２２Ａ，２２Ｂ，２２Ｂの開閉パターンである）を図２３〜図２５に基づいて説明する。
【０１３８】
（Ｄ−５−１）  第７の吹出パターン
第７の吹出パターンは、図２３に示すように、上記各主吹出口２２Ａ，２２Ａ，２２Ｂ，２２Ｂを全て開放し、上記各主吹出口２２Ａ，２２Ａ，２２Ｂ，２２Ｂから吹出空気Ａ2を吹き出すとともに上記第１副吹出口１７，１７に接続された上記各副吹出口３３，３３からも吹出空気Ａ3を吹き出すものである。
【０１３９】
この第７の吹出パターンは、上記第５〜第７の実施形態にかかる室内機Ｚ5（Ｚ6，Ｚ7）に適用可能な吹出パターンであって、この第７の吹出パターンを採用した場合には、上記第５〜第７の実施形態においてそれぞれ説明した基本的効果が得られるのに加えて、以下のような特有の効果が得られるものである。
【０１４０】
即ち、この第７の吹出パターンにおいては、上記主吹出口２２Ａ，２２Ａの側方に上記各副吹出口３３，３３が位置し、上記主吹出口２２Ｂ，２２Ｂも含めて、これら各主吹出口２２Ａ，２２Ａ，２２Ｂ，２２Ｂ及び各副吹出口３３，３３が直線上に並ぶことから、上記室内機Ｚ5（Ｚ6，Ｚ7）の設置に際して、この直線方向を床面４１の通路方向に略合致させることで、上記各主吹出口２２Ａ，２２Ａ，２２Ｂ，２２Ｂ及び各副吹出口３３，３３から吹き出される吹出空気Ａ2及び吹出空気Ａ3の影響が上記各テーブル４５，４５，・・の近傍にいる在室者に及ぶのが可及的に防止され、より一層、空調の快適性が向上するものである。
【０１４１】
（Ｄ−５−２）  第８の吹出パターン
第８の吹出パターンは、図２４に示すように、上記各主吹出口２２Ａ，２２Ａ，２２Ｂ，２２Ｂのうち、上記主吹出口２２Ａ，２２Ａを閉塞するとともに上記主吹出口２２Ｂ，２２Ｂを開放し、上記主吹出口２２Ｂ，２２Ｂから吹出空気Ａ2を吹き出すとともに、上記第１副吹出口１７，１７からも吹出空気Ａ3を吹き出すものである。
【０１４２】
この第８の吹出パターンは、上記第５〜第７の実施形態にかかる室内機Ｚ5〜Ｚ7に適用可能な吹出パターンであって、この第８の吹出パターンを採用した場合には、上記第５〜第７の実施形態においてそれぞれ説明した基本的効果が得られるのに加えて、以下のような特有の効果が得られるものである。
【０１４３】
即ち、この第８の吹出パターンにおいては、上記第７の吹出パターンのように上記室内機本体１側の上記主吹出口２２Ａ，２２Ａと主吹出口２２Ｂ，２２Ｂの双方が開放している場合に比して、該室内機本体１側の上記主吹出口２２Ｂ，２２Ｂと上記各副吹出口３３，３３との間隔が大きいことから、上記第７の吹出パターンの場合に比して、ショートサーキットが発生しにくく、ショートサーキットの発生に起因する空調能力の低下を低く抑えることができるものである。
【０１４４】
（Ｄ−５−３）  第９の吹出パターン
第９の吹出パターンは、図２５に示すように、上記主吹出口２２Ａ，２２Ａ，２２Ｂ，２２Ｂのうち、上記主吹出口２２Ａ，２２Ａを開放するとともに上記主吹出口２２Ｂ，２２Ｂを閉塞し、上記主吹出口２２Ａ，２２Ａから吹出空気Ａ2を吹き出すとともに、上記副吹出口３３，３３からも吹出空気Ａ3を吹き出すものである。
【０１４５】
この第９の吹出パターンは、上記第５〜第７の実施形態にかかる室内機Ｚ5〜Ｚ7に適用可能な吹出パターンであって、この第９の吹出パターンを採用した場合には、上記第５〜第７の実施形態においてそれぞれ説明した基本的効果が得られるのに加えて、以下のような特有の効果が得られるものである。
【０１４６】
即ち、この第９の吹出パターンにおいては、上記主吹出口２２Ｂ，２２Ｂが閉塞されており、従って、上記主吹出口２２Ａ，２２Ａとその側方に位置する上記各副吹出口３３，３３が直線上に並ぶことから、上記室内機Ｚ5（Ｚ6，Ｚ7）の設置に際して、この直線方向を床面４１の通路方向に略合致させることで、上記各主吹出口２２Ａ，２２Ａ及び各副吹出口３３，３３から吹き出される吹出空気Ａ2及び吹出空気Ａ3の影響が上記各テーブル４５，４５，・・の近傍にいる在室者に及ぶのが可及的に防止され、上記第７の吹出パターンよりもさらに快適性の高い空調が実現されるものである。
【０１４７】
（Ｅ）  第４の形態群
（Ｅ−１）  第８の実施形態
図２６には、本願発明の第８の実施形態にかかる分離型の空気調和装置の室内機Ｚ8を示している。この室内機Ｚ8は、上記第５の実施形態にかかる室内機Ｚ5が天井埋込型であったのに対して、これを天井吊下型に適用したものであって、該第５の実施形態にかかる室内機Ｚ5の変形例として位置づけられるものである。従って、その基本構成は上記室内機Ｚ5と同様であり、これと異なる点は、上記ケーシン１１の他の側壁１１ｂ，１１ｂにそれぞれ第２副吹出口１８，１８を設け、該各第２副吹出口１８，１８からも吹出空気Ａ3を側方へ向けて吹き出すように構成した点である。尚、上記室内機Ｚ5における構成部材と同一の構成部材に対しては同一の符号を付して第５の実施形態における該当説明を援用する。
【０１４８】
この実施形態の室内機Ｚ8においては、上記室内機本体１側の上記各主吹出口２２Ａ，２２Ａ，２２Ｂ，２２Ｂからそれぞれ直下方向に向けて吹出空気Ａ2が吹き出されるとともに、上記各副吹出口３３，３３からは吹出空気Ａ3が直下方向に向けて吹き出され、さらに上記第２副吹出口１８，１８からは吹出空気Ａ3が側方へ向けて吹き出される。
【０１４９】
従って、例えば、上記第５の実施形態の室内機Ｚ5のように上記第２副吹出口１８，１８を設けずに、上記主吹出口２２Ａ，２２Ａ，２２Ｂ，２２Ｂと上記第１副吹出口１７，１７（即ち、上記副吹出口３３，３３）の双方のみから吹出空気Ａ2及び吹出空気Ａ3をそれぞれ吹き出す構成とした場合に比して、上記第２副吹出口１８，１８から吹出空気Ａ3が吹き出される分だけ、上記各主吹出口２２Ａ，２２Ａ，２２Ｂ，２２Ｂ及び上記各副吹出口３３，３３から吹き出される吹出空気Ａ2及び吹出空気Ａ3の風量及び風速が低下するので、上記第５の実施形態の場合よりも、上記天井４０側のより広い平面領域から且つ風速のより低い吹出空気Ａ2，Ａ3が直下方向に向けて吹き出されることになる。
【０１５０】
（Ｅ−２）  第９の実施形態
図２７には、本願発明の第９の実施形態にかかる分離型の空気調和装置の室内機Ｚ9を示している。この室内機Ｚ9は、上記第６の実施形態にかかる室内機Ｚ6が天井埋込型であったのに対して、これを天井吊下型に適用したものであって、該第６の実施形態にかかる室内機Ｚ6の変形例として位置づけられるものである。従って、その基本構成は該室内機Ｚ6と同様であり、これと異なる点は、上記ケーシング１１の他の側壁１１ｂ，１１ｂにそれぞれ第２副吹出口１８，１８を設け、該各第２副吹出口１８，１８からも吹出空気Ａ3を側方へ向けて吹き出すように構成した点である。尚、上記室内機Ｚ6における構成部材と同一の構成部材に対しては同一の符号を付して第５の実施形態における該当説明を援用する。
【０１５１】
この実施形態の室内機Ｚ9においては、上記室内機本体１側の上記各主吹出口２２Ａ，２２Ａ，２２Ｂ，２２Ｂからそれぞれ直下方向に向けて吹出空気Ａ2が吹き出されるとともに、上記各副吹出口３３，３３からは吹出空気Ａ3が直下方向に向けて吹き出され、さらに上記第２副吹出口１８，１８からは吹出空気Ａ3が側方へ向けて吹き出される。
【０１５２】
従って、例えば、上記第６の実施形態の室内機Ｚ6のように上記第２副吹出口１８，１８を設けずに、上記主吹出口２２Ａ，２２Ａ，２２Ｂ，２２Ｂと上記第１副吹出口１７，１７（即ち、上記副吹出口３３，３３）の双方のみから吹出空気Ａ2及び吹出空気Ａ3をそれぞれ吹き出す構成とした場合に比して、上記第２副吹出口１８，１８から吹出空気Ａ3が吹き出される分だけ、上記各主吹出口２２Ａ，２２Ａ，２２Ｂ，２２Ｂ及び上記各副吹出口３３，３３から吹き出される吹出空気Ａ2及び吹出空気Ａ3の風量及び風速が低下するので、上記第６の実施形態の場合よりも、上記天井４０側のより広い平面領域から且つ風速のより低い吹出空気Ａ2，Ａ3が直下方向に向けて吹き出されることになる。
【０１５３】
（Ｅ−３）  室内機Ｚ8及び室内機Ｚ9における気流特性の説明
ここで、上記第８及び第９の実施形態にかかる各室内機Ｚ8，Ｚ9の使用状態時における気流特性を、図２８に示すように、該室内機Ｚ8，Ｚ9を、油煙発生源及び油煙を排出するための排気装置を備えた焼肉店等の店舗に設置した場合を例にとって説明する。
【０１５４】
図２８に示すように、床面４１と天井４０とによって上下方向に区画された空調空間４２（即ち、焼肉店の店内空間）の該床面４１側には、コンロ等の調理器４６を備えたテーブル４５が所定間隔をもって多数設置されている。また、これら各テーブル４５，４５，・・の上方位置には、上記調理器４６から発生する油煙５２を室外へ排出させるために排気装置４７が設けられている。尚、この排気装置４７は、例えば、集煙用の排気フード４８を排気導出管４９を介して天井４０の上側に配置された排気ダクト５０に接続して構成され、該排気ダクト５０側に配置された排気ファン（図示省略）の吸引作用によって上記調理器４６からの油煙５２を上記排気フード４８側に集煙し且つこれを上記排気導出管４９を介して上記排気ダクト５０側に導出するようになっている。
【０１５５】
そして、このような環境条件をもつ空調空間４２の空調を行うべく上記天井４０側に上記室内機Ｚ8（Ｚ9）を設置する場合、該室内機Ｚ8（Ｚ9）からの吹出空気Ａ2による在室者のドラフト感を防止するとの観点から、該室内機Ｚ8（Ｚ9）を、上記各テーブル４５，４５，・・の近傍の各排気領域Ｓ1，Ｓ1，・・を避けて、これら各テーブル４５，４５，・・の中間の通路部分に対応する非排気領域Ｓ2の上方位置に設置している。
【０１５６】
ここで、上記各調理器４６，４６，・・のそれぞれにおいて焼肉調理が行われ、該調理器４６，４６，・・から発生する油煙５２を上記各排気装置４７，４７，・・によって排気している状態において、上記室内機Ｚ8（Ｚ9）が運転される場合における気流特性を考察する。
【０１５７】
図２８に示すように、上記室内機Ｚ8（Ｚ9）においては、その運転により、非排気領域Ｓ2の周辺領域の空気を吸込空気Ａ1として吸込口２１側から吸入し、これを熱交換器１５において熱交換して温度調整する。この温度調整された空気は、その一部は上記室内機本体１の下面側の上記各主吹出口２２Ａ，２２Ａ，２２Ｂ，２２Ｂから吹出空気Ａ2として直下方向に向けて（即ち、直下の床面４１側に向けて）吹き出され、他の一部は上記各第１副吹出口１７，１７から上記ダクト３１及び吹出口ユニット３２を介して上記各副吹出口３３，３３から吹出空気Ａ3として直下方向に向けて吹き出され、さらにこれら以外の一部は上記第２副吹出口１８，１８から直接吹出空気Ａ3として側方へ吹き出される。
【０１５８】
従って、上記室内機Ｚ8（Ｚ9）を設置することで、該室内機Ｚ8（Ｚ9）の下面側に設けられた上記各主吹出口２２Ａ，２２Ａ，２２Ｂ，２２Ｂの外に、該各主吹出口２２Ａ，２２Ａ，２２Ｂ，２２Ｂから側方へ適宜離間した位置に上記各副吹出口３３，３３が設けられ且つこれら双方からそれぞれ吹出空気Ａ2及び吹出空気Ａ3が直下方向に吹き出されるとともに、さらにこれに加えて、上記各第２副吹出口１８，１８から吹出空気Ａ3が側方へ向けて吹き出されることから、熱交換器１５通過後の吹出空気が三方に分流され、上記吹出空気Ａ2及び吹出空気Ａ3の風量及び風速は比較的低く且つ可及的に均一化される。この結果、直下方向へ吹き出される吹出空気Ａ2及び吹出空気Ａ3に着目した場合、これら吹出空気Ａ2及び吹出空気Ａ3の下方への到達距離は比較的短く、床面４１側に直接これらの気流が到達することは少ない。また、上記各主吹出口２２Ａ，２２Ａ，２２Ｂ，２２Ｂ及び各副吹出口３３，３３が上記各排気領域Ｓ1，Ｓ1，・・の間に位置する非排気領域Ｓ2の上方側に設置されていることで、上記吹出空気Ａ2及び吹出空気Ａ3の気流の影響が上記排気領域Ｓ1側に及ぶのが可及的に抑制される。
【０１５９】
これら相乗効果として、上記吹出空気Ａ2及び吹出空気Ａ3の気流による在室者のドラフト感がより一層軽減され、より高い快適性をもつ空調が実現されるとともに、上記吹出空気Ａ2及び吹出空気Ａ3の気流によって上記調理器４６から立ち上がる油煙５２が側方に吹き飛ばされるということがほとんどなく、該油煙５２は上記排気装置４７の排気フード４８側にスムーズに吸入されることから、上記排気装置４７による排気性能がより一層向上することになる。
【０１６０】
以上のように、上記第８及び第９の実施形態にかかる室内機Ｚ8，Ｚ9を設置することで、空調の快適性を確保しつつ、良好な排気性能を維持することができるものであり、従って、この例の如く油煙の発生量の多い焼肉店の店内等に設置されるものとして好適である。
【０１６１】
（Ｅ−４）  第１０の実施形態
図２９には、本願発明の第１０の実施形態にかかる分離型の空気調和装置の室
内機Ｚ10を示している。この室内機Ｚ10は、上記第８の実施形態にかかる室内機Ｚ8の変形例として位置づけられるものであって、該室内機Ｚ8と異なる点は、該室内機Ｚ8においては上記各主吹出口２２Ａ，２２Ａ，２２Ｂ，２２Ｂが直下通路であったのに対し、これを外側に向けて下降傾斜する通路とした点、及びかかる通路構成の結果として該各主吹出口２２Ａ，２２Ａ，２２Ｂ，２２Ｂから吹き出される吹出空気Ａ2は直下方向に向かうのではなく、斜め下方へ向かう流れである点であり、これ以外の構成等は全て上記室内機Ｚ8と同様であり、従ってここでは該室内機Ｚ8の構成部材と同一の構成部材に対しては同一の符号を付して第８の実施形態における該当説明を援用する。
【０１６２】
このように構成された上記室内機Ｚ10においては、上記室内機本体１側の上記各主吹出口２２Ａ，２２Ａ，２２Ｂ，２２Ｂからそれぞれ斜め下方に向けて吹出空気Ａ2が吹き出されるとともに、上記各副吹出口３３，３３からは吹出空気Ａ3が直下方向に向けて吹き出され、さらに上記第２副吹出口１８，１８からは吹出空気Ａ3が側方へ向けて吹き出される。
【０１６３】
（Ｅ−５）  室内機Ｚ10における気流特性の説明
ここで、上記第１０の実施形態にかかる室内機Ｚ10の使用状態時における気流特性を、図３０を参照して説明する。
【０１６４】
この実施形態のものにおいては、図３０に示すように、上記室内機Ｚ10においては、その運転により、非排気領域Ｓ2の周辺領域の空気を吸込空気Ａ1として吸込口２１側から吸入し、これを熱交換器１５において熱交換して温度調整する。この温度調整された空気は、その一部は上記室内機本体１の下面側の上記各主吹出口２２Ａ，２２Ａ，２２Ｂ，２２Ｂから吹出空気Ａ2として斜め下方へ向けて吹き出され、他の一部は上記各第１副吹出口１７，１７から上記ダクト３１及び吹出口ユニット３２を介して上記各副吹出口３３，３３から吹出空気Ａ3として直下方向に向けて吹き出され、さらにこれら以外の一部は上記第２副吹出口１８，１８から直接吹出空気Ａ3として側方へ吹き出される。
【０１６５】
従って、上記室内機Ｚ10を設置することで、該室内機Ｚ10の下面側に設けられた上記各主吹出口２２Ａ，２２Ａ，２２Ｂ，２２Ｂから吹出空気Ａ2が直下方向に向けて吹き出される外に、該各主吹出口２２Ａ，２２Ａ，２２Ｂ，２２Ｂから側方へ適宜離間した位置に上記各副吹出口３３，３３が設けられ且つここから吹出空気Ａ3が直下方向に吹き出されるとともに、さらにこれに加えて、上記各第２副吹出口１８，１８から吹出空気Ａ3が側方へ向けて吹き出されることから、熱交換器１５通過後の吹出空気が三方に分流され、上記吹出空気Ａ2及び吹出空気Ａ3の風量及び風速は比較的低く且つ可及的に均一化される。この結果、斜め下方に吹き出される吹出空気Ａ2及び直下方向に吹き出される吹出空気Ａ3に着目した場合、これら吹出空気Ａ2及び吹出空気Ａ3の到達距離は比較的短く、該吹出空気Ａ2の気流が上記非排気領域Ｓ2に到達すること、及び上記吹出空気Ａ3の気流が床面４１に到達することは少ない。また、上記各主吹出口２２Ａ，２２Ａ，２２Ｂ，２２Ｂ及び各副吹出口３３，３３が上記各排気領域Ｓ1，Ｓ1，・・の間に位置する非排気領域Ｓ2の上方側に設置されていることで、上記吹出空気Ａ2及び吹出空気Ａ3の気流の影響が上記排気領域Ｓ1側に及ぶのが可及的に抑制されることになる。
【０１６６】
これら相乗効果として、上記吹出空気Ａ2及び吹出空気Ａ3の気流による在室者のドラフト感がより一層軽減され、より高い快適性をもつ空調が実現されるとともに、上記吹出空気Ａ2及び吹出空気Ａ3の気流によって上記調理器４６から立ち上がる油煙５２が側方に吹き飛ばされるということがほとんどなく、該油煙５２は上記排気装置４７の排気フード４８側にスムーズに吸入され、上記排気装置４７による排気性能がより一層向上することになる。
【０１６７】
以上のように、上記第１０の実施形態にかかる室内機Ｚ10を設置することで、空調の快適性を確保しつつ、良好な排気性能を維持することができるものであり、従って、この例の如く油煙の発生量の多い焼肉店の店内等に設置されるものとして好適である。
【０１６８】
（Ｅ−６）  第４の形態群における吹出パターンの説明
続いて、上記第４の形態群に属する第８〜第１０の実施形態にかかる室内機Ｚ8〜Ｚ10のそれぞれに適用可能な第１０〜第１２の吹出パターン（即ち、上記第１副吹出口１７，１７及び第２副吹出口１８，１８は常に開放状態とされているので、上記各主吹出口２２Ａ，２２Ａ，２２Ｂ，２２Ｂの開閉パターンである）を図３１〜図３３に基づいて説明する。
【０１６９】
（Ｅ−６−１）  第１０の吹出パターン
第１０の吹出パターンは、図３１に示すように、上記各主吹出口２２Ａ，２２Ａ，２２Ｂ，２２Ｂを全て開放し、上記各主吹出口２２Ａ，２２Ａ，２２Ｂ，２２Ｂから吹出空気Ａ2を吹き出すとともに、上記第１副吹出口１７，１７に接続された上記各副吹出口３３，３３、及び上記第２副吹出口１８，１８からもそれぞれ吹出空気Ａ3を吹き出すものである。
【０１７０】
この第１０の吹出パターンは、上記第８〜第１０の実施形態にかかる室内機Ｚ8，Ｚ9，Ｚ10に適用可能な吹出パターンであって、この第１０の吹出パターンを採用した場合には、上記第８〜第１０の実施形態においてそれぞれ説明した基本的効果が得られるのに加えて、以下のような特有の効果が得られるものである。
【０１７１】
即ち、この第１０の吹出パターンにおいては、全ての吹出口、即ち、上記各主吹出口２２Ａ，２２Ａ，２２Ｂ，２２Ｂと第１副吹出口１７，１７（即ち、上記副吹出口３３，３３）と第２副吹出口１８，１８が共に開放され、これらからそれぞれ吹出空気Ａ2及び吹出空気Ａ3が吹き出されるので、例えば図１６に示す第６の吹出パターンの場合よりもさらに吹出空気を下方に向けて吹き出し易く、それだけ空調の快適性が向上するものである。
【０１７２】
（Ｅ−６−２）  第１１の吹出パターン
第１１の吹出パターンは、図３２に示すように、上記各主吹出口２２Ａ，２２Ａ，２２Ｂ，２２Ｂのうち、上記主吹出口２２Ａ，２２Ａを開放するとともに上記主吹出口２２Ｂ，２２Ｂを閉塞し、上記主吹出口２２Ａ，２２Ａから吹出空気Ａ2を吹き出すとともに、上記副吹出口３３，３３と第２副吹出口１８，１８の双方からも吹出空気Ａ3を吹き出すものである。
【０１７３】
この第１１の吹出パターンは、上記第８〜第１０の実施形態にかかる室内機Ｚ8，Ｚ9，Ｚ10に適用可能な吹出パターンであって、この第１１の吹出パターンを採用した場合には、上記第５〜第７の実施形態においてそれぞれ説明した基本的効果が得られるのに加えて、以下のような特有の効果が得られるものである。
【０１７４】
即ち、この第１１の吹出パターンにおいては、上記第２副吹出口１８，１８からも吹出空気Ａ3が吹き出される構成であることから、例えば図２５に示す第９の吹出パターンの場合よりも吹出面積が増加する分だけ吹出空気Ａ2及び吹出空気Ａ3の風量及び風速をさらに下げることができ、それだけ空調の快適性が促進されるものである。
【０１７５】
（Ｅ−６−３）  第１２の吹出パターン
第１２の吹出パターンは、図３３に示すように、上記主吹出口２２Ａ，２２Ａ，２２Ｂ，２２Ｂのうち、上記主吹出口２２Ａ，２２Ａを閉塞するとともに上記主吹出口２２Ｂ，２２Ｂを開放し、上記主吹出口２２Ａ，２２Ａから吹出空気Ａ2を吹き出すとともに、上記副吹出口３３，３３及び第２副吹出口１８，１８からもそれぞれ吹出空気Ａ3を吹き出すものである。
【０１７６】
この第１２の吹出パターンは、上記第８〜第１０の実施形態にかかる室内機Ｚ8，Ｚ9，Ｚ10に適用可能な吹出パターンであって、この第１２の吹出パターンを採用した場合には、上記第８〜第１０の実施形態においてそれぞれ説明した基本的効果が得られるのに加えて、以下のような特有の効果が得られるものである。
【０１７７】
即ち、この第１２の吹出パターンにおいては、上記第２副吹出口１８，１８からも吹出空気Ａ3が吹き出される構成であることから、例えば図２４に示す第８の吹出パターンの場合よりも吹出面積が増加する分だけ吹出空気Ａ2及び吹出空気Ａ3の風量及び風速をさらに下げることができ、それだけ空調の快適性が促進されるものである。
【図面の簡単な説明】
【図１】  本願発明の第１の実施形態にかかる室内機の斜視図である。
【図２】  図１に示した室内機の内部構造を示す断面図である。
【図３】  本願発明の第２の実施形態にかかる室内機の斜視図である。
【図４】  図３に示した室内機の内部構造を示す断面図である。
【図５】  本願発明の第３の実施形態にかかる室内機の内部構造を示す断面図である。
【図６】  第１〜第３の実施形態にかかる室内機を備えた場合における室内の気流状態説明図である。
【図７】  第１〜第３の実施形態にかかる室内機を備えた場合における室内の気流状態説明図である。
【図８】  本願発明の第４の実施形態にかかる室内機の斜視図である。
【図９】  図８に示した室内機の内部構造を示す断面図である。
【図１０】  第４の実施形態にかかる室内機を備えた場合における室内の気流状態説明図である。
【図１１】  室内機における第１の吹出パターンを示す概念図である。
【図１２】  室内機における第２の吹出パターンを示す概念図である。
【図１３】  室内機における第３の吹出パターンを示す概念図である。
【図１４】  室内機における第４の吹出パターンを示す概念図である。
【図１５】  室内機における第５の吹出パターンを示す概念図である。
【図１６】  室内機における第６の吹出パターンを示す概念図である。
【図１７】  本願発明の第５の実施形態にかかる室内機の斜視図である。
【図１８】  図１７に示した室内機の内部構造を示す断面図である。
【図１９】  本願発明の第６の実施形態にかかる室内機の斜視図である。
【図２０】  図１９に示した室内機の内部構造を示す断面図である。
【図２１】  本願発明の第７の実施形態にかかる室内機の内部構造を示す断面図である。
【図２２】  第５〜第７の実施形態にかかる室内機を備えた場合における室内の気流状態説明図である。
【図２３】  室内機における第７の吹出パターンを示す概念図である。
【図２４】  室内機における第８の吹出パターンを示す概念図である。
【図２５】  室内機における第９の吹出パターンを示す概念図である。
【図２６】  本願発明の第８の実施形態にかかる室内機の斜視図である。
【図２７】  本願発明の第９の実施形態にかかる室内機の斜視図である。
【図２８】  第８及び第９の実施形態にかかる室内機を備えた場合における室内の気流状態説明図である。
【図２９】  本願発明の第１０の実施形態にかかる室内機の斜視図である。
【図３０】  第１０の実施形態にかかる室内機を備えた場合における室内の気流状態説明図である。
【図３１】  室内機における第１０の吹出パターンを示す概念図である。
【図３２】  室内機における第１１の吹出パターンを示す概念図である。
【図３３】  室内機における第１２の吹出パターンを示す概念図である。
【図３４】  従来の室内機を示す斜視図である。
【図３５】  図３４２の室内機の内部構造を示す断面図である。
【図３６】  従来の室内機を備えた場合における室内の気流状態説明図である。
【符号の説明】
１は室内機本体、２は吹出パネル、１０は空気通路、１１はケーシング、１２はファン、１３はモータ、１４はファンガイド、１５は熱交換器、１６はフィルター、１７は第１副吹出口、１８は第２副吹出口、１９及び２０はダンパー、２１は吸込口、２２Ａ，２２Ａ，２２Ｂ，２２Ｂは主吹出口、２３は室内グリル、２４はフラップ、２５は吹出ガイド部材、３１はダクト、３２は吹出口ユニット、３３は副吹出口、４０は天井、４１は床面、４２は空調空間、４５はテーブル、４６は調理器、４７は排気装置、４８は排気フード、４９は排気導出管、５０は排気ダクト、５２は油煙、Ｓ1及びＳ2は排気領域、Ａ1は室内空気、Ａ2及びＡ3は吹出空気、Ｚ1〜Ｚ10は室内機である。
【図１】
0004604313.tif 000002
【図２】
0004604313.tif 000003
【図３】
0004604313.tif 000004
【図４】
0004604313.tif 000005
【図５】
0004604313.tif 000006
【図６】
0004604313.tif 000007
【図７】
0004604313.tif 000008
【図８】
0004604313.tif 000009
【図９】
0004604313.tif 000010
【図１０】
0004604313.tif 000011
【図１１】
0004604313.tif 000012
【図１２】
0004604313.tif 000013
【図１３】
0004604313.tif 000014
【図１４】
0004604313.tif 000015
【図１５】
0004604313.tif 000016
【図１６】
0004604313.tif 000017
【図１７】
0004604313.tif 000018
【図１８】
0004604313.tif 000019
【図１９】
0004604313.tif 000020
【図２０】
0004604313.tif 000021
【図２１】
0004604313.tif 000022
【図２２】
0004604313.tif 000023
【図２３】
0004604313.tif 000024
【図２４】
0004604313.tif 000025
【図２５】
0004604313.tif 000026
【図２６】
0004604313.tif 000027
【図２７】
0004604313.tif 000028
【図２８】
0004604313.tif 000029
【図２９】
0004604313.tif 000030
【図３０】
0004604313.tif 000031
【図３１】
0004604313.tif 000032
【図３２】
0004604313.tif 000033
【図３３】
0004604313.tif 000034
【図３４】
0004604313.tif 000035
【図３５】
0004604313.tif 000036
【図３６】
0004604313.tif 000037